(57)【要約】  ワイヤレス通信のための方法および装置について説明する。１つの方法は、アップリンクサブフレームにおけるリソースの競合を識別することと、ここで、競合が、少なくとも、第１のセルについての第１のアップリンク制御情報を報告することと、第２のセルについての第２のアップリンク制御情報を報告することとの間の競合を含む、第１のセルと第２のセルとのうちの少なくとも１つが競合ベース無線周波数スペクトルを利用するかどうかに少なくとも部分的に基づいて、アップリンクサブフレームにおけるリソースの競合においてアップリンク制御情報の報告に優先度を付けることと、優先度付けに基づいてアップリンク制御情報を送信することとを含み得る。
2017502616.tif 000002
【特許請求の範囲】
【請求項１】
アップリンクサブフレームにおけるリソースの競合を識別することと、前記競合が、少なくとも、第１のセルについての第１のアップリンク制御情報を報告することと、第２のセルについての第２のアップリンク制御情報を報告することとの間の競合を備える、
前記第１のセルと前記第２のセルとのうちの少なくとも１つが競合ベース無線周波数スペクトルを利用するかどうかに少なくとも部分的に基づいて、前記アップリンクサブフレームにおける前記リソースの前記競合においてアップリンク制御情報の前記報告に優先度を付けることと、
前記優先度付けに基づいてアップリンク制御情報を送信することと
を備える、ワイヤレス通信のための方法。
【請求項２】
前記第２のセルが競合ベース無線周波数スペクトルを利用するセルであると決定することと、
前記第２のセルによる前記競合ベース無線周波数スペクトルの前記利用に少なくとも部分的に基づいて、前記アップリンクサブフレームにおける前記リソースの前記競合において前記第２のセルについての前記第２のアップリンク制御情報の前記報告に優先度を付けることと
をさらに備える、請求項１に記載の方法。
【請求項３】
前記第１のセルと前記第２のセルが異なるキャリア周波数である、請求項１に記載の方法。
【請求項４】
前記第１のセルと前記第２のセルが同じキャリア周波数である、請求項１に記載の方法。
【請求項５】
前記第１のアップリンク制御情報および前記第２のアップリンク制御情報がチャネル状態情報（ＣＳＩ）をそれぞれ備える、請求項１に記載の方法。
【請求項６】
前記第１のセルについてのＣＳＩの第１の報告タイプの第１の優先度レベルと、前記第２のセルについてのＣＳＩの第２の報告タイプの第２の優先度レベルが同じ優先度レベルである、請求項５に記載の方法。
【請求項７】
前記第１のセルについてのＣＳＩの第１の報告タイプの第１の優先度レベルを決定することと、
前記第２のセルについてのＣＳＩの第２の報告タイプの第２の優先度レベルを決定することと、
前記第２のセルについてのＣＳＩの前記第２の報告タイプの前記第２の優先度レベルに対する前記第１のセルについてのＣＳＩの前記第１の報告タイプの前記第１の優先度レベルに少なくとも部分的に基づいて、前記アップリンクサブフレームにおける前記リソースの前記競合において前記第１のアップリンク制御情報と前記第２のアップリンク制御情報とのうちの１つの前記報告に優先度を付けることと
をさらに備える、請求項５に記載の方法。
【請求項８】
前記第１のセルについてのＣＳＩの前記第１の報告タイプが、前記第２のセルについてのＣＳＩの前記第２の報告タイプよりも高い優先度レベルを有し、前記方法が、
前記アップリンクサブフレームにおける前記リソースの前記競合において、前記第２のセルについての前記第２のアップリンク制御情報の前記報告よりも前記第１のセルについての前記第１のアップリンク制御情報の前記報告に優先度を付けること
をさらに備える、請求項７に記載の方法。
【請求項９】
前記第１のセルについてのＣＳＩの前記第１の報告タイプの前記第１の優先度レベルを決定することと、前記第２のセルについてのＣＳＩの前記第２の報告タイプの前記第２の優先度レベルを決定することとは、
ＣＳＩの報告タイプが、ランクインジケータ（ＲＩ）、プリコーディングタイプインジケータ（ＰＴＩ）、または広帯域プリコーディング行列インジケータ（ＰＭＩ）のうちの少なくとも１つを備えるとき、最高優先度レベルを決定することと、
ＣＳＩの前記報告タイプが、広帯域チャネル品質指示（ＣＱＩ）、またはＰＭＩをもつ広帯域ＣＱＩのうちの少なくとも１つを備えるとき、中間優先度レベルを決定することと、
ＣＳＩの前記報告タイプが、サブバンドＣＱＩ、またはＰＭＩをもつサブバンドＣＱＩのうちの少なくとも１つを備えるとき、低優先度レベルを決定することと
を備える、請求項７に記載の方法。
【請求項１０】
前記第１のセルが競合ベーススペクトルを利用するセルであると決定することと、
前記第１のセルの第１のサービングセルインデックスと前記第２のセルの第２のサービングセルインデックスとを決定することと、前記第２のサービングセルインデックスが前記第１のサービングセルインデックスよりも低い、
前記第１のサービングセルインデックスと前記第２のサービングセルインデックスとに少なくとも部分的に基づいて、前記アップリンクサブフレームにおける前記リソースの前記競合において前記第２のセルについての前記第２のアップリンク制御情報の前記報告に優先度を付けることと
をさらに備える、請求項１に記載の方法。
【請求項１１】
前記第２のアップリンク制御情報を生成するために測定値がその中で取得される、前記第２のセルのダウンリンクサブフレームを識別すること
をさらに備える、請求項１に記載の方法。
【請求項１２】
前記ダウンリンクサブフレームを送信するための前記競合ベース無線周波数スペクトルについての競合が失敗したと決定されたとき、前記第２のセルについての前記第２のアップリンク制御情報の前記報告の優先度を低下させること
をさらに備える、請求項１１に記載の方法。
【請求項１３】
前記第２のセルについての前記第２のアップリンク制御情報の前記報告に優先度を付けることは、前記ダウンリンクサブフレームを送信するための前記競合ベース無線周波数スペクトルについての競合が失敗したと決定されたとき、前のダウンリンクサブフレームの受信中に取得された測定値に基づいて、前記第２のセルについての履歴的第２のアップリンク制御情報の前記報告に優先度を付けることを備える、請求項１１に記載の方法。
【請求項１４】
前記第２のアップリンク制御情報の報告に第２のセルインデックスを含めることをさらに備え、前記第２のセルインデックスが前記第２のセルを識別する、
請求項１に記載の方法。
【請求項１５】
前記第２のセルによってダウンリンクサブフレームを送信するための前記競合ベース無線周波数スペクトルについての競合の成功または失敗を示す基地局からのシグナリングを受信すること
をさらに備える、請求項１に記載の方法。
【請求項１６】
前記第２のセルによってダウンリンクサブフレームを送信するための前記競合ベース無線周波数スペクトルについての競合の成功または失敗を検出することをさらに備え、ここにおいて、前記検出が、前記第２のセルによって送信される基準信号の存在に基づいて実施される、
請求項１に記載の方法。
【請求項１７】
前記第１のアップリンク制御情報のタイプと前記第２のアップリンク制御情報の前記タイプとを決定することと、
前記第１のアップリンク制御情報の前記タイプと前記第２のアップリンク制御情報の前記タイプとに少なくとも部分的に基づいて、前記競合においてアップリンク制御情報のサブセットの前記報告に優先度を付けることと
をさらに備える、請求項１に記載の方法。
【請求項１８】
前記第１のセルが無競合ベース無線周波数スペクトルを利用するセルであると決定すること
をさらに備える、請求項１に記載の方法。
【請求項１９】
前記第１のアップリンク制御情報および前記第２のアップリンク制御情報がサウンディング基準信号（ＳＲＳ）を備える、請求項１に記載の方法。
【請求項２０】
前記第１のアップリンク制御情報および前記第２のアップリンク制御情報がスケジューリング要求（ＳＲ）制御情報を備える、請求項１に記載の方法。
【請求項２１】
アップリンクサブフレームにおけるリソースの競合を識別するための手段と、前記競合が、少なくとも、第１のセルについての第１のアップリンク制御情報を報告することと、第２のセルについての第２のアップリンク制御情報を報告することとの間の競合を備える、
前記第１のセルと前記第２のセルとのうちの少なくとも１つが競合ベース無線周波数スペクトルを利用するかどうかに少なくとも部分的に基づいて、前記アップリンクサブフレームにおける前記リソースの前記競合においてアップリンク制御情報の前記報告に優先度を付けるための手段と、
前記優先度付けに基づいてアップリンク制御情報を送信するための手段と
を備える、ワイヤレス通信のための装置。
【請求項２２】
前記第２のセルが競合ベース無線周波数スペクトルを利用するセルであると決定するための手段と、
前記第２のセルによる前記競合ベース無線周波数スペクトルの前記利用に少なくとも部分的に基づいて、前記アップリンクサブフレームにおける前記リソースの前記競合において前記第２のセルについての前記第２のアップリンク制御情報の前記報告に優先度を付けるための手段と
をさらに備える、請求項２１に記載の装置。
【請求項２３】
前記第１のセルが競合ベーススペクトルを利用するセルであると決定するための手段と、
前記第１のセルの第１のサービングセルインデックスと前記第２のセルの第２のサービングセルインデックスとを決定するための手段と、前記第２のサービングセルインデックスが前記第１のサービングセルインデックスよりも低い、
前記第１のサービングセルインデックスと前記第２のサービングセルインデックスとに少なくとも部分的に基づいて、前記アップリンクサブフレームにおける前記リソースの前記競合において前記第２のセルについての前記第２のアップリンク制御情報の前記報告に優先度を付けるための手段と
をさらに備える、請求項２１に記載の装置。
【請求項２４】
前記第２のセルによってダウンリンクサブフレームを送信するための前記競合ベース無線周波数スペクトルについての競合の成功または失敗を示す基地局からのシグナリングを受信するための手段
をさらに備える、請求項２１に記載の装置。
【請求項２５】
前記第２のセルによってダウンリンクサブフレームを送信するための前記競合ベース無線周波数スペクトルについての競合の成功または失敗を検出するための手段をさらに備え、ここにおいて、前記検出が、前記第２のセルによって送信される基準信号の存在に基づいて実施される、
請求項２１に記載の装置。
【請求項２６】
プロセッサと、
前記プロセッサと電子通信しているメモリと、
前記メモリに記憶された命令と備える、ワイヤレス通信のための装置であって、前記命令は、
アップリンクサブフレームにおけるリソースの競合を識別することと、前記競合が、少なくとも、第１のセルについての第１のアップリンク制御情報を報告することと、第２のセルについての第２のアップリンク制御情報を報告することとの間の競合を備える、
前記第１のセルと前記第２のセルとのうちの少なくとも１つが競合ベース無線周波数スペクトルを利用するかどうかに少なくとも部分的に基づいて、前記アップリンクサブフレームにおける前記リソースの前記競合においてアップリンク制御情報の前記報告に優先度を付けることと、
前記優先度付けに基づいてアップリンク制御情報を送信することと
を行うように前記プロセッサによって実行可能である、ワイヤレス通信のための装置。
【請求項２７】
前記第１のアップリンク制御情報および前記第２のアップリンク制御情報がチャネル状態情報（ＣＳＩ）をそれぞれ備える、請求項２６に記載の装置。
【請求項２８】
前記命令は、
前記第１のセルの第１のサービングセルインデックスと前記第２のセルの第２のサービングセルインデックスとを決定することと、前記第２のサービングセルインデックスが前記第１のサービングセルインデックスよりも高い、
前記第１のサービングセルインデックスと前記第２のサービングセルインデックスとに少なくとも部分的に基づいて、前記アップリンクサブフレームにおける前記リソースの前記競合において前記第２のセルについての前記第２のアップリンク制御情報の前記報告に優先度を付けることと
を行うように前記プロセッサによって実行可能である、請求項２６に記載の装置。
【請求項２９】
前記命令は、
前記第２のアップリンク制御情報を生成するために測定値がその中で取得される、前記第２のセルのダウンリンクサブフレームを識別する
ように前記プロセッサによって実行可能である、請求項２６に記載の装置。
【請求項３０】
ワイヤレス通信のためのコンピュータ実行可能コードを記憶した非一時的コンピュータ可読媒体であって、前記コードは、
アップリンクサブフレームにおけるリソースの競合を識別することと、前記競合が、少なくとも、第１のセルについての第１のアップリンク制御情報を報告することと、第２のセルについての第２のアップリンク制御情報を報告することとの間の競合を備える、
前記第１のセルと前記第２のセルとのうちの少なくとも１つが競合ベース無線周波数スペクトルを利用するかどうかに少なくとも部分的に基づいて、前記アップリンクサブフレームにおける前記リソースの前記競合においてアップリンク制御情報の前記報告に優先度を付けることと、
前記優先度付けに基づいてアップリンク制御情報を送信することと
を行うようにプロセッサによって実行可能である、非一時的コンピュータ可読媒体。
【発明の詳細な説明】
【技術分野】
【０００１】
相互参照
[0001]本特許出願は、それらの各々が本出願の譲受人に譲渡される、２０１４年１０月２４日に出願されたＣｈｅｎらによる米国特許出願第１４／５２２，８２２号、「Ｔｅｃｈｎｉｑｕｅｓ  ｆｏｒ  Ｐｒｉｏｒｉｔｉｚｉｎｇ  ｔｈｅ  Ｒｅｐｏｒｔｉｎｇ  ｏｆ  Ｕｐｌｉｎｋ  Ｃｏｎｔｒｏｌ  Ｉｎｆｏｒｍａｔｉｏｎ  ｆｏｒ  Ｃｅｌｌｓ  Ｕｔｉｌｉｚｉｎｇ  Ｃｏｎｔｅｎｔｉｏｎ  Ｂａｓｅｄ  Ｒａｄｉｏ  Ｆｒｅｑｕｅｎｃｙ  Ｓｐｅｃｔｒｕｍ」、および２０１４年１月１０日に出願された「Ｔｅｃｈｎｉｑｕｅｓ  ｆｏｒ  Ｐｒｉｏｒｉｔｉｚｉｎｇ  ｔｈｅ  Ｒｅｐｏｒｔｉｎｇ  ｏｆ  Ｕｐｌｉｎｋ  Ｃｏｎｔｒｏｌ  Ｉｎｆｏｒｍａｔｉｏｎ  ｆｏｒ  Ｃｅｌｌｓ  Ｕｔｉｌｉｚｉｎｇ  Ｃｏｎｔｅｎｔｉｏｎ  Ｂａｓｅｄ  Ｒａｄｉｏ  Ｆｒｅｑｕｅｎｃｙ  Ｓｐｅｃｔｒｕｍ」と題するＣｈｅｎらによる米国仮特許出願第６１／９２６，１８１号の優先権を主張する。
【０００２】
[0002]本開示は、たとえば、ワイヤレス通信システムに関し、より詳細には、競合ベース無線周波数スペクトルを利用するセルのアップリンク制御情報の報告に優先度を付けるための技法に関する。
【背景技術】
【０００３】
[0003]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]たとえば、ワイヤレス多元接続通信システムは、各々が複数のユーザ機器（モバイルデバイスなどのＵＥ）のための通信を同時にサポートする、いくつかの基地局を含み得る。基地局は、（たとえば、基地局からＵＥへの送信のための）ダウンリンクチャネルと、（たとえば、ＵＥから基地局への送信のための）アップリンクチャネルとの上でＵＥと通信し得る。
【０００５】
[0005]ＵＥとの通信のいくつかのモードは、複数のチャネル（たとえば、コンポーネントキャリア、同じ周波数の２つ以上のセルなど）にわたる通信を必要とし得、各チャネルは、ＵＥと、異なるコンポーネントキャリアを利用し得るいくつかのセル（たとえば、場合によっては異なる基地局であり得るサービングセル）のうちの１つとの間で確立される。セルのアップリンク制御情報を報告するとき、アップリンクサブフレームにおいてリソースの競合があり得る。
【発明の概要】
【０００６】
[0006]本開示は、たとえば、競合ベース無線周波数スペクトルを利用するセルのアップリンク制御情報の報告に優先度を付けるための１つまたは複数の技法に関する。優先度付けは、アップリンクサブフレームにおけるリソース（たとえば、アップリンク制御情報を報告するためのリソース）の競合を解決するのに有用であり得る。いくつかの例では、本技法は、無競合ベース無線周波数スペクトル（たとえば、無線周波数スペクトルが特定の使用のために特定のユーザに認可されているので、装置がそれへのアクセスを求めて競合しない無線周波数スペクトル）を利用するセルについてのアップリンク制御情報の報告よりも、競合ベース無線周波数スペクトル（たとえば、無線周波数スペクトルが認可不要の使用に開かれているので、装置がそれへのアクセスを求めて競合する無線周波数スペクトル）を利用するセルについてのアップリンク制御情報の報告に優先度を与え得る。他の例では、本技法は、セルが、セルについてのアップリンク制御情報を生成するために測定値がその中で取得される時間期間の間、競合ベース無線周波数スペクトルへのアクセスを求めて成功裏に競合したとき、競合ベース無線周波数スペクトルを利用するセルについてのアップリンク制御情報の報告に優先度を与え得る。
【０００７】
[0007]例示的な例の第１のセットでは、ワイヤレス通信のための方法について説明する。一例では、本方法は、アップリンクサブフレームにおけるリソースの競合を識別することを含み得る。競合は、少なくとも、第１のセルについての第１のアップリンク制御情報を報告することと、第２のセルについての第２のアップリンク制御情報を報告することとの間の競合を含み得る。本方法は、第１のセルと第２のセルとのうちの少なくとも１つが競合ベース無線周波数スペクトルを利用するかどうかに少なくとも部分的に基づいて、アップリンクサブフレームにおけるリソースの競合においてアップリンク制御情報の報告に優先度を付けることと、優先度付けに基づいてアップリンク制御情報を送信することとをさらに含み得る。
【０００８】
[0008]いくつかの例では、本方法は、第２のセルが競合ベース無線周波数スペクトルを利用するセルであると決定することと、第２のセルによる競合ベース無線周波数スペクトルの利用に少なくとも部分的に基づいて、アップリンクサブフレームにおけるリソースの競合において第２のセルについての第２のアップリンク制御情報の報告に優先度を付けることとを含み得る。場合によっては、第１のセルと第２のセルは異なるキャリア周波数であり得る。本方法の他の例では、第１のセルと第２のセルは同じキャリア周波数であり得る。
【０００９】
[0009]いくつかの例では、第１のアップリンク制御情報および第２のアップリンク制御情報はチャネル状態情報（ＣＳＩ）をそれぞれ含み得る。これらの例では、第１のセルについてのＣＳＩの第１の報告タイプの第１の優先度レベルと、第２のセルについてのＣＳＩの第２の報告タイプの第２の優先度レベルは同じ優先度レベルであり得る。代替的に、本方法は、第１のセルについてのＣＳＩの第１の報告タイプの第１の優先度レベルを決定することと、第２のセルについてのＣＳＩの第２の報告タイプの第２の優先度レベルを決定することと、第２のセルについてのＣＳＩの第２の報告タイプの第２の優先度レベルに対する第１のセルについてのＣＳＩの第１の報告タイプの第１の優先度レベルに少なくとも部分的に基づいて、アップリンクサブフレームにおけるリソースの競合において第２のセルについての第２のアップリンク制御情報の報告に優先度を付けることとを含み得る。いくつかの例では、第２のセルについてのＣＳＩの第１の報告タイプは、第１のセルについてのＣＳＩの第１の報告タイプよりも高い優先度レベルを有し得、本方法は、アップリンクサブフレームにおけるリソースの競合において、第１のセルについての第１のアップリンク制御情報の報告よりも、第２のセルについての第２のアップリンク制御情報の報告に優先度を付けることをさらに含み得る。いくつかの例では、第１のセルについてのＣＳＩの第１の報告タイプの第１の優先度レベルを決定することと、第２のセルについてのＣＳＩの第２の報告タイプの第２の優先度レベルを決定することとは、ＣＳＩの報告タイプが、ランクインジケータ（ＲＩ）、プリコーディングタイプインジケータ（ＰＴＩ）、または広帯域プリコーディング行列インジケータ（ＰＭＩ）のうちの少なくとも１つを備えるとき、最高優先度レベルを決定することと、ＣＳＩの報告タイプが、広帯域チャネル品質指示（ＣＱＩ）、またはＰＭＩをもつ広帯域ＣＱＩのうちの少なくとも１つを備えるとき、中間優先度レベルを決定することと、ＣＳＩの報告タイプが、サブバンドＣＱＩ、またはＰＭＩをもつサブバンドＣＱＩのうちの少なくとも１つを備えるとき、低優先度レベルを決定することとを含み得る。
【００１０】
[0010]いくつかの例では、本方法は、第１のセルが競合ベーススペクトルを利用するセルであると決定することと、第１のセルの第１のサービングセルインデックスと第２のセルの第２のサービングセルインデックスとを決定することと、ここで、第２のサービングセルインデックスが第１のサービングセルインデックスよりも低くなり得る、第１のサービングセルインデックスと第２のサービングセルインデックスとに少なくとも部分的に基づいて、アップリンクサブフレームにおけるリソースの競合において第２のセルについての第２のアップリンク制御情報の報告に優先度を付けることとを含み得る。
【００１１】
[0011]いくつかの例では、本方法は、第２のアップリンク制御情報を生成するために測定値がその中で取得され得る、第２のセルのダウンリンクサブフレームを識別することを含み得る。これらの例では、本方法は、ダウンリンクサブフレームを送信するための競合ベース無線周波数スペクトルについての競合が失敗したと決定されたとき、第２のセルについての第２のアップリンク制御情報の報告の優先度を低下させることを含み得る。また、または代替的に、第２のセルについての第２のアップリンク制御情報の報告に優先度を付けることは、ダウンリンクサブフレームを送信するための競合ベース無線周波数スペクトルについての競合が失敗したと決定されたとき、前のダウンリンクサブフレームの受信中に取得された測定値に基づいて、第２のセルについての履歴的第２のアップリンク制御情報の報告に優先度を付けることを含み得る。
【００１２】
[0012]いくつかの例では、本方法は、第２のアップリンク制御情報の報告に第２のセルインデックスを含めることを含み得、第２のセルインデックスは第２のセルを識別する。
【００１３】
[0013]いくつかの例では、本方法は、第２のセルによってダウンリンクサブフレームを送信するための競合ベース無線周波数スペクトルについての競合の成功または失敗を示す基地局からのシグナリングを受信することを含み得る。同じまたは他の例では、本方法は、第２のセルによってダウンリンクサブフレームを送信するための競合ベース無線周波数スペクトルについての競合の成功または失敗を検出することを含み得る。検出は、第２のセルによって送信される基準信号の存在に基づいて実施され得る。
【００１４】
[0014]いくつかの例では、本方法は、第１のアップリンク制御情報のタイプと第２のアップリンク制御情報のタイプとを決定することと、第１のアップリンク制御情報のタイプと第２のアップリンク制御情報のタイプとに少なくとも部分的に基づいて、競合においてアップリンク制御情報のサブセットの報告に優先度を付けることとを含み得る。
【００１５】
[0015]いくつかの例では、本方法は、第１のセルが無競合ベース無線周波数スペクトルを利用するセルであると決定することを含み得る。
【００１６】
[0016]いくつかの例では、第１のアップリンク制御情報および第２のアップリンク制御情報はサウンディング基準信号（ＳＲＳ）を含み得る。同じまたは他の例では、第１のアップリンク制御情報および第２のアップリンク制御情報はスケジューリング要求（ＳＲ）制御情報を含み得る。
【００１７】
[0017]例示的な例の第２のセットでは、ワイヤレス通信のための装置について説明する。一例では、本装置は、アップリンクサブフレームにおけるリソースの競合を識別するための手段を含み得る。競合は、少なくとも、第１のセルについての第１のアップリンク制御情報を報告することと、第２のセルについての第２のアップリンク制御情報を報告することとの間の競合を含み得る。本装置は、第１のセルと第２のセルとのうちの少なくとも１つが競合ベース無線周波数スペクトルを利用するかどうかに少なくとも部分的に基づいて、アップリンクサブフレームにおけるリソースの競合においてアップリンク制御情報の報告に優先度を付けるための手段と、優先度付けに基づいてアップリンク制御情報を送信するための手段とをさらに含み得る。いくつかの例では、本装置は、例示的な例の第１のセットに関して上記で説明したワイヤレス通信のための方法の１つまたは複数の態様を実装するための手段をさらに含み得る。
【００１８】
[0018]例示的な例の第３のセットでは、ワイヤレス通信のための別の装置について説明する。一例では、本装置は、プロセッサと、プロセッサと電子通信しているメモリと、メモリに記憶された命令とを含み得る。命令は、アップリンクサブフレームにおけるリソースの競合を識別するようにプロセッサによって実行可能であり得る。競合は、少なくとも、第１のセルについての第１のアップリンク制御情報を報告することと、第２のセルについての第２のアップリンク制御情報を報告することとの間の競合を含み得る。命令は、第１のセルと第２のセルとのうちの少なくとも１つが競合ベース無線周波数スペクトルを利用するかどうかに少なくとも部分的に基づいて、アップリンクサブフレームにおけるリソースの競合においてアップリンク制御情報の報告に優先度を付けることと、優先度付けに基づいてアップリンク制御情報を送信することとを行うようにプロセッサによってさらに実行可能であり得る。いくつかの例では、命令はまた、例示的な例の第１のセットに関して上記で説明したワイヤレス通信のための方法の１つまたは複数の態様を実装するようにプロセッサによって実行可能であり得る。
【００１９】
[0019]例示的な例の第４のセットでは、ワイヤレス通信のためのコンピュータ実行可能コードを記憶した非一時的コンピュータ可読媒体について説明する。一例では、コードは、アップリンクサブフレームにおけるリソースの競合を識別するようにプロセッサによって実行可能である。競合は、少なくとも、第１のセルについての第１のアップリンク制御情報を報告することと、第２のセルについての第２のアップリンク制御情報を報告することとの間の競合を含み得る。コードは、第１のセルと第２のセルとのうちの少なくとも１つが競合ベース無線周波数スペクトルを利用するかどうかに少なくとも部分的に基づいて、アップリンクサブフレームにおけるリソースの競合においてアップリンク制御情報の報告に優先度を付けることと、優先度付けに基づいてアップリンク制御情報を送信することとを少なくとも１つのプロセッサに行わせるようにさらに実行可能であり得る。いくつかの例では、コードは、例示的な例の第１のセットに関して上記で説明したワイヤレス通信のための方法の１つまたは複数の態様を実装することを少なくとも１つのプロセッサに行わせるようにさらに実行可能であり得る。
【００２０】
[0020]上記では、以下の詳細な説明がより良く理解され得るように、本開示による例の特徴および技術的利点をかなり広範に概説した。以下で、追加の特徴および利点について説明する。開示する概念および具体例は、本開示の同じ目的を実行するための他の構造を変更または設計するための基礎として容易に利用され得る。そのような等価な構成は、添付の特許請求の範囲の趣旨および範囲から逸脱しない。関連する利点とともに、本明細書で開示する概念の編成と動作の方法の両方に関して、それらの概念を特徴づけると考えられる特徴は、添付の図に関連して以下の説明を検討するとより良く理解されよう。図の各々は、例示および説明のみのために提供され、特許請求の範囲の限界を定めるものではない。
【００２１】
[0021]以下の図面を参照することにより、本発明の性質および利点のさらなる理解が実現され得る。添付の図では、同様の構成要素または特徴は同じ参照ラベルを有し得る。さらに、同じのタイプの様々な構成要素は、参照ラベルの後に、ダッシュと、同様の構成要素の間で区別する第２のラベルとを続けることによって区別され得る。第１の参照ラベルのみが本明細書において使用される場合、説明は、第２の参照ラベルにかかわらず、同じ第１の参照ラベルを有する同様の構成要素のいずれにも適用可能である。
【図面の簡単な説明】
【００２２】
【図１】[0022]本開示の様々な態様による、ワイヤレス通信システムのブロック図。
【図２】[0023]本開示の様々な態様による、競合ベース無線周波数スペクトルを使用する様々なシナリオの下でＬＴＥ（登録商標）／ＬＴＥ−Ａが展開されるワイヤレス通信システムを示す図。
【図３】[0024]本開示の様々な態様による、競合ベース無線周波数スペクトルを使用するスタンドアロンモードにおいてＬＴＥ／ＬＴＥ−Ａが展開されるワイヤレス通信システムを示す図。
【図４】[0025]本開示の様々な態様による、競合ベース無線周波数スペクトルを使用するセルラーダウンリンクまたはアップリンクのためのフレーム／間隔の例を示す図。
【図５Ａ】[0026]本開示の様々な態様による、競合ベース無線周波数スペクトルにわたるワイヤレス通信の一例を示す図。
【図５Ｂ】[0027]本開示の様々な態様による、競合ベース無線周波数スペクトルにわたるワイヤレス通信の一例を示す図。
【図６】[0028]本開示の様々な態様による、ダウンリンクコンポーネントキャリアとアップリンクコンポーネントキャリアとの例示的なセットを示す図。
【図７】[0029]本開示の様々な態様による、図６に示されたダウンリンク（ＤＬ）コンポーネントキャリア（ＣＣ）に対応するセルの第１の例示的なグルーピングおよび優先度付けを示す図。
【図８】[0030]本開示の様々な態様による、図６に示されたＤＬ  ＣＣに対応するセルの第２の例示的なグルーピングおよび優先度付けを示す図。
【図９】[0031]本開示の様々な態様による、図６に示されたＤＬ  ＣＣに対応するセルの第３の例示的な優先度付けを示す図。
【図１０】[0032]本開示の様々な態様による、ワイヤレス通信において使用するための装置のブロック図。
【図１１】[0033]本開示の様々な態様による、ワイヤレス通信において使用するための装置のブロック図。
【図１２】[0034]本開示の様々な態様による、ワイヤレス通信において使用するための装置のブロック図。
【図１３】[0035]本開示の様々な態様による、ワイヤレス通信において使用するための装置のブロック図。
【図１４】[0036]本開示の様々な態様による、ワイヤレス通信において使用するためのＵＥのブロック図。
【図１５】[0037]本開示の様々な態様による、ワイヤレス通信のための方法の一例を示すフローチャート。
【図１６】[0038]本開示の様々な態様による、ワイヤレス通信のための方法の一例を示すフローチャート。
【図１７】[0039]本開示の様々な態様による、ワイヤレス通信のための方法の一例を示すフローチャート。
【発明を実施するための形態】
【００２３】
[0040]競合ベース無線周波数スペクトルを利用するセルのアップリンク制御情報の報告に優先度を付けるための技法について説明する。優先度付けは、アップリンクサブフレームにおけるリソース（たとえば、アップリンク制御情報を報告するためのリソース）の競合を解決するのに有用であり得る。いくつかの例では、本技法は、無競合ベース無線周波数スペクトル（たとえば、無線周波数スペクトルが特定の使用のために特定のユーザに認可されているので、装置がそれへのアクセスを求めて競合しない無線周波数スペクトル）を利用するセルについてのアップリンク制御情報の報告よりも、競合ベース無線周波数スペクトル（たとえば、無線周波数スペクトルが認可不要の使用に開かれているので、装置がそれへのアクセスを求めて競合する無線周波数スペクトル）を利用するセルについてのアップリンク制御情報の報告に優先度を与え得る。他の例では、本技法は、セルが、セルについてのアップリンク制御情報を生成するために測定値がその中で取得される時間期間の間、競合ベーススペクトルへのアクセスを求めて成功裏に競合したとき、競合ベース無線周波数スペクトルを利用するセルについてのアップリンク制御情報の報告に優先度を与え得る。開示する技法は、競合ベース無線周波数スペクトルへのアクセスを求めて競合する動的性質のために、特に長い一連の失敗したリッスンビフォアトーク（ＬＢＴ：Listen Before Talk）手順（すなわち、競合ベース無線周波数スペクトルへのアクセスを求めて競合するための失敗した試み）があるとき、競合ベース無線周波数スペクトルを利用するセルについてのアップリンク制御情報が、無競合ベース無線周波数スペクトルを利用するセルについてのアップリンク制御情報よりも有益であり得ることを認識する。したがって、セルが競合ベース無線周波数スペクトルを利用するかどうかに基づいて、アップリンクサブフレームの共有リソースのために、アップリンク制御情報の報告に優先度を付けることが有用であり得る。
【００２４】
[0041]本明細書で説明する技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムに使用され得る。「システム」および「ネットワーク」という用語はしばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形態とを含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡ（登録商標）などの無線技術を実装し得る。ＵＴＲＡおよびＥ−ＵＴＲＡは、ユニバーサルモバイルテレコミュニケーションシステム（ＵＭＴＳ）の一部である。３ＧＰＰ（登録商標）ロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体の文書に記載されている。本明細書で説明する技法は、上述のシステムおよび無線技術、ならびに他のシステムおよび無線技術のために使用され得る。しかしながら、以下の説明では、例としてＬＴＥシステムについて説明し、以下の説明の大部分でＬＴＥ用語が使用されるが、本技法はＬＴＥ適用例以外に適用可能である。
【００２５】
[0042]以下の説明は例を与えるものであり、特許請求の範囲に記載される範囲、適用可能性、または例を限定するものではない。本開示の趣旨および範囲から逸脱することなく、論じられる要素の機能および配置において変更が行われ得る。様々な例は、適宜に様々な手順または構成要素を省略、置換、または追加し得る。たとえば、説明する方法は、説明する順序とは異なる順序で実施され得、様々なステップが追加、省略、または組み合わせられ得る。また、いくつかの例に関して説明する特徴は、他の例において組み合わせられ得る。
【００２６】
[0043]図１は、本開示の様々な態様による、ワイヤレス通信システム１００のブロック図を示す。ワイヤレス通信システム１００は、複数の基地局１０５（たとえば、ｅＮＢ、ＷＬＡＮアクセスポイント、または他のアクセスポイント）と、いくつかのユーザ機器（ＵＥ）１１５と、コアネットワーク１３０とを含む。基地局１０５のうちのいくつかは、様々な例ではコアネットワーク１３０の一部または基地局１０５のうちのいくつかの基地局であり得る、基地局コントローラ（図示せず）の制御下でＵＥ１１５と通信し得る。基地局１０５のうちのいくつかは、バックホール１３２を通してコアネットワーク１３０と制御情報および／またはユーザデータを通信し得る。いくつかの例では、基地局１０５のうちのいくつかは、ワイヤードまたはワイヤレス通信リンクであり得るバックホールリンク１３４を介して互いに直接または間接的に通信し得る。ワイヤレス通信システム１００は、複数のキャリア（異なる周波数の波形信号）上での動作をサポートし得る。マルチキャリア送信機は、複数のキャリア上で同時に被変調信号を送信することができる。たとえば、各通信リンク１２５は、様々な無線技術に従って変調されたマルチキャリア信号であり得る。各々の変調された信号は、異なるキャリア上で送られ得、制御情報（たとえば、基準信号、制御チャネルなど）、オーバーヘッド情報、データなどを搬送し得る。
【００２７】
[0044]基地局１０５は、１つまたは複数の基地局アンテナを介してＵＥ１１５とワイヤレス通信し得る。基地局１０５の各々は、それぞれのカバレージエリア１１０に通信カバレージを与え得る。いくつかの例では、基地局１０５は、アクセスポイント、トランシーバ基地局（ＢＴＳ）、無線基地局、無線トランシーバ、基本サービスセット（ＢＳＳ）、拡張サービスセット（ＥＳＳ）、ノードＢ、発展型ノードＢ（ｅＮＢ）、ホームノードＢ、ホームｅノードＢ、ＷＬＡＮアクセスポイント、Ｗｉ−Ｆｉノードまたは他の何らかの適切な用語で呼ばれることがある。基地局１０５のためのカバレージエリア１１０は、カバレージエリアの一部分のみを構成するセクタに分割され得る（図示せず）。ワイヤレス通信システム１００は、様々なタイプの基地局１０５（たとえば、マクロ基地局、マイクロ基地局、および／またはピコ基地局）を含み得る。基地局１０５はまた、セルラーおよび／またはＷＬＡＮ無線アクセス技術など、様々な無線技術を利用し得る。基地局１０５は、同じまたは異なるアクセスネットワークまたは事業者展開に関連付けられ得る。同じもしくは異なるタイプの基地局１０５のカバレージエリアを含み、同じもしくは異なる無線技術を利用し、および／または同じもしくは異なるアクセスネットワークに属する、異なる基地局１０５のカバレージエリアは、重複し得る。
【００２８】
[0045]いくつかの例では、ワイヤレス通信システム１００はＬＴＥ／ＬＴＥ−Ａ通信システム（またはネットワーク）を含み得、このＬＴＥ／ＬＴＥ−Ａ通信システムは、無競合ベース無線周波数スペクトル（たとえば、スペクトルが特定の使用のために特定のユーザに認可されているので、装置がそれへのアクセスを求めて競合しない無線周波数スペクトル）、および／または競合ベース無線周波数スペクトル（たとえば、スペクトルが認可不要の使用に開かれているので、装置がそれへのアクセスを求めて競合する無線周波数スペクトル）における動作または展開の１つまたは複数のモードをサポートし得る。他の例では、ワイヤレス通信システム１００は、ＬＴＥ／ＬＴＥ−Ａとは異なる１つまたは複数のアクセス技術を使用してワイヤレス通信をサポートし得る。ＬＴＥ／ＬＴＥ−Ａ通信システムでは、発展型ノードＢまたはｅＮＢという用語は、たとえば、基地局１０５について説明するために使用され得る。
【００２９】
[0046]ワイヤレス通信システム１００は、異なるタイプの基地局１０５が様々な地理的領域にカバレージを与える、異種ＬＴＥ／ＬＴＥ−Ａネットワークであるかまたはそれを含み得る。たとえば、各基地局１０５は、マクロセル、ピコセル、フェムトセル、および／または他のタイプのセルに通信カバレージを与え得る。ピコセル、フェムトセル、および／または他のタイプのセルなどのスモールセルは、低電力ノードまたはＬＰＮを含み得る。マクロセルは、たとえば、比較的大きい地理的エリア（たとえば、半径数キロメートル）をカバーし、ネットワークプロバイダのサービスに加入しているＵＥによる無制限アクセスを可能にし得る。ピコセルは、たとえば、より比較的に小さい地理的エリアをカバーすることになり、ネットワークプロバイダのサービスに加入しているＵＥによる無制限アクセスを可能にし得る。また、フェムトセルは、たとえば、比較的小さい地理的エリア（たとえば、自宅）をカバーすることになり、無制限アクセスに加えて、フェムトセルとの関連を有するＵＥ（たとえば、限定加入者グループ（ＣＳＧ）中のＵＥ、自宅内のユーザのためのＵＥなど）による制限付きアクセスをも与え得る。マクロセルのためのｅＮＢは、マクロｅＮＢと呼ばれることがある。ピコセルのためのｅＮＢは、ピコｅＮＢと呼ばれることがある。また、フェムトセルのためのｅＮＢは、フェムトｅＮＢまたはホームｅＮＢと呼ばれることがある。ｅＮＢは、１つまたは複数（たとえば、２つ、３つ、４つなど）のセルをサポートし得る。
【００３０】
[0047]コアネットワーク１３０は、バックホール１３２（たとえば、Ｓ１アプリケーションプロトコルなど）を介して基地局１０５と通信し得る。基地局１０５はまた、たとえば、バックホールリンク１３４（たとえば、Ｘ２アプリケーションプロトコルなど）を介して、および／またはバックホール１３２を介して（たとえば、コアネットワーク１３０を通じて）、直接または間接的に互いに通信し得る。ワイヤレス通信システム１００は、同期動作または非同期動作をサポートし得る。同期動作の場合、ｅＮＢは同様のフレームタイミングおよび／またはゲーティングタイミングを有し得、異なるｅＮＢからの送信は時間的にほぼ整合され得る。非同期動作の場合、ｅＮＢは異なるフレームタイミングおよび／またはゲーティングタイミングを有し得、異なるｅＮＢからの送信は時間的に整合されないことがある。本明細書で説明する技法は、同期動作または非同期動作のいずれにも使用され得る。
【００３１】
[0048]ＵＥ１１５は、ワイヤレス通信システム１００全体にわたって分散され得、各ＵＥ１１５は固定または移動であり得る。ＵＥ１１５は、当業者によって、モバイルデバイス、移動局、加入者局、モバイルユニット、加入者ユニット、ワイヤレスユニット、リモートユニット、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、時計または眼鏡などのウェアラブルアイテム、ワイヤレスローカルループ（ＷＬＬ）局などであり得る。ＵＥ１１５は、マクロｅＮＢ、ピコｅＮＢ、フェムトｅＮＢ、リレーなどと通信することが可能であり得る。ＵＥ１１５は、セルラーもしくは他のＷＷＡＮアクセスネットワーク、またはＷＬＡＮアクセスネットワークなど、異なるタイプのアクセスネットワークを介して通信することも可能であり得る。ＵＥ１１５との通信のいくつかのモードでは、通信は、複数の通信リンク１２５またはチャネル（すなわち、コンポーネントキャリア）を介して行われ得、各チャネルまたはコンポーネントキャリアは、ＵＥと、いくつかのセル（たとえば、場合によっては異なる基地局１０５であり得る、サービングセル）のうちの１つとの間に確立される。各コンポーネントキャリアは、無競合ベース無線周波数スペクトルまたは競合ベース無線周波数スペクトルを介して確立され得、特定の通信モードに関与するコンポーネントキャリアのセットは、無競合ベース無線周波数スペクトルを介して（たとえば、ＵＥ１１５において）すべて受信されるか、競合ベース無線周波数スペクトルを介して（たとえば、ＵＥ１１５において）すべて受信されるか、または無競合ベース無線周波数スペクトルと競合ベース無線周波数スペクトルとの組合せを介して（たとえば、ＵＥ１１５において）受信され得る。
【００３２】
[0049]ワイヤレス通信システム１００に示された通信リンク１２５は、アップリンク（ＵＬ）通信（たとえば、ＵＥ１１５から基地局１０５への送信）を搬送するためのアップリンクチャネル（またはコンポーネントキャリア）、および／またはダウンリンク（ＤＬ）通信（たとえば、基地局１０５からＵＥ１１５への送信）を搬送するためのダウンリンクチャネル（もしくはコンポーネントキャリア）を含み得る。ＵＬ通信または送信は逆方向リンク通信または送信と呼ばれることもあり、ＤＬ通信または送信は順方向リンク通信または送信と呼ばれることもある。ダウンリンク通信および／またはアップリンク通信は、無競合ベース無線周波数スペクトル、競合ベース無線周波数スペクトル、または両方を使用して行われ得る。
【００３３】
[0050]ワイヤレス通信システム１００のいくつかの例では、ＬＴＥ／ＬＴＥ−Ａは、競合ベース無線周波数スペクトルを使用する異なるシナリオの下で展開され得る。展開シナリオは、無競合ベース無線周波数スペクトル（たとえば、認可無線周波数スペクトル）におけるＬＴＥ／ＬＴＥ−Ａダウンリンク通信が競合ベース無線周波数スペクトル（たとえば、認可不要無線周波数スペクトル）にオフロードされ得る補助ダウンリンクモードと、ＬＴＥ／ＬＴＥ−Ａダウンリンク通信とＬＴＥ／ＬＴＥ−Ａアップリンク通信の両方が無競合ベース無線周波数スペクトルから競合ベース無線周波数スペクトルにオフロードされ得るキャリアアグリゲーションモードと、基地局（たとえば、ｅＮＢ）とＵＥとの間のＬＴＥ／ＬＴＥ−Ａダウンリンクおよびアップリンク通信が競合ベース無線周波数スペクトルにおいて行われ得るスタンドアロンモードとを含み得る。基地局１０５ならびにＵＥ１１５は、これらまたは同様の動作モードのうちの１つまたは複数をサポートし得る。ＯＦＤＭＡ波形は、無競合ベース無線周波数スペクトルおよび／または競合ベース無線周波数スペクトルにおけるＬＴＥ／ＬＴＥ−Ａダウンリンク通信のための通信リンク１２５において使用され得、一方、ＯＦＤＭＡ、ＳＣ−ＦＤＭＡおよび／またはリソースブロックインターリーブＦＤＭＡ波形は、無競合ベース無線周波数スペクトルおよび／または競合ベース無線周波数スペクトルにおけるＬＴＥ／ＬＴＥ−Ａアップリンク通信のための通信リンク１２５において使用され得る。
【００３４】
[0051]図２は、本開示の様々な態様による、競合ベース無線周波数スペクトルを使用する様々なシナリオの下でＬＴＥ／ＬＴＥ−Ａが展開されるワイヤレス通信システム２００を示す。より詳細には、図２は、競合ベース無線周波数スペクトルを使用してＬＴＥ／ＬＴＥ−Ａが展開される、補助ダウンリンクモードとキャリアアグリゲーションモードとの例を示す。ワイヤレス通信システム２００は、図１を参照しながら説明したワイヤレス通信システム１００の部分の一例であり得る。その上、基地局２０５は、図１を参照しながら説明した基地局１０５のうちの１つまたは複数の態様の一例であり得、第１のＵＥ２１５、第２のＵＥ２１５−ａ、および第３のＵＥ２１５−ｂは、図１を参照しながら説明したＵＥ１１５のうちの１つまたは複数の態様の例であり得る。
【００３５】
[0052]ワイヤレス通信システム２００における補助ダウンリンクモードの例では、基地局２０５は、ダウンリンクチャネル２２０を使用して第１のＵＥ２１５にＯＦＤＭＡ波形を送信し得る。ダウンリンクチャネル２２０は、競合ベース無線周波数スペクトル中の周波数Ｆ１に関連付けられ得る。基地局２０５は、第１の双方向リンク２２５を使用して第１のＵＥ２１５にＯＦＤＭＡ波形を送信し得、第１の双方向リンク２２５を使用して第１のＵＥ２１５からＳＣ−ＦＤＭＡ波形を受信し得る。第１の双方向リンク２２５は、無競合ベース無線周波数スペクトル中の周波数Ｆ４に関連付けられ得る。競合ベース無線周波数スペクトルにおけるダウンリンクチャネル２２０と、無競合ベース無線周波数スペクトルにおける第１の双方向リンク２２５は、同時に動作し得る。ダウンリンクチャネル２２０は、基地局２０５にダウンリンク容量のオフロードを提供し得る。いくつかの例では、ダウンリンクチャネル２２０は、（たとえば、１つのＵＥに宛てられる）ユニキャストサービスのために、または（たとえば、いくつかのＵＥに宛てられる）マルチキャストサービスのために使用され得る。このシナリオは、無競合ベース無線周波数スペクトルを使用し、トラフィックおよび／またはシグナリング輻輳の一部を軽減する必要がある、どんなサービスプロバイダ（たとえば、従来のモバイルネットワーク事業者またはＭＮＯ）にも発生し得る。
【００３６】
[0053]ワイヤレス通信システム２００におけるキャリアアグリゲーションモードの一例では、基地局２０５は、第２の双方向リンク２３０を使用して第２のＵＥ２１５−ａにＯＦＤＭＡ波形を送信し得、第２の双方向リンク２３０を使用して第２のＵＥ２１５−ａからＯＦＤＭＡ波形、ＳＣ−ＦＤＭＡ波形、および／またはリソースブロックインターリーブＦＤＭＡ波形を受信し得る。第２の双方向リンク２３０は、競合ベース無線周波数スペクトル中の周波数Ｆ１に関連付けられ得る。基地局２０５はまた、第３の双方向リンク２３５を使用して第２のＵＥ２１５−ａにＯＦＤＭＡ波形を送信し得、第３の双方向リンク２３５を使用して第２のＵＥ２１５−ａからＳＣ−ＦＤＭＡ波形を受信し得る。第３の双方向リンク２３５は、無競合ベース無線周波数スペクトル中の周波数Ｆ２に関連付けられ得る。第２の双方向リンク２３０は、基地局２０５にダウンリンク容量およびアップリンク容量のオフロードを提供し得る。上記で説明した補助ダウンリンクのように、このシナリオは、無競合ベース無線周波数スペクトルを使用し、トラフィックおよび／またはシグナリング輻輳の一部を軽減する必要がある、どんなサービスプロバイダ（たとえば、ＭＮＯ）にも発生し得る。
【００３７】
[0054]ワイヤレス通信システム２００におけるキャリアアグリゲーションモードの別の例では、基地局２０５は、第４の双方向リンク２４０を使用して第３のＵＥ２１５−ｂにＯＦＤＭＡ波形を送信し得、第４の双方向リンク２４０を使用して第３のＵＥ２１５−ｂからＯＦＤＭＡ波形、ＳＣ−ＦＤＭＡ波形、および／またはリソースブロックインターリーブ波形を受信し得る。第４の双方向リンク２４０は、競合ベース無線周波数スペクトル中の周波数Ｆ３に関連付けられ得る。基地局２０５はまた、第５の双方向リンク２４５を使用して第３のＵＥ２１５−ｂにＯＦＤＭＡ波形を送信し得、第５の双方向リンク２４５を使用して第３のＵＥ２１５−ｂからＳＣ−ＦＤＭＡ波形を受信し得る。第５の双方向リンク２４５は、無競合ベース無線周波数スペクトル中の周波数Ｆ２に関連付けられ得る。第４の双方向リンク２４０は、基地局２０５にダウンリンク容量およびアップリンク容量のオフロードを提供し得る。この例および上記で提供した例は、説明のために提示され、容量オフロードのために無競合ベース無線周波数スペクトルにおけるＬＴＥ／ＬＴＥ−Ａと競合ベース無線周波数スペクトルにおけるＬＴＥ／ＬＴＥ−Ａとを組み合わせる他の同様の動作モードまたは展開シナリオが存在し得る。
【００３８】
[0055]上記で説明したように、競合ベース無線周波数スペクトルにおいてＬＴＥ／ＬＴＥ−Ａを使用することによって提供される容量オフロードから恩恵を受け得るサービスプロバイダの１つのタイプは、ＬＴＥ／ＬＴＥ−Ａ無競合ベース無線周波数スペクトルへのアクセス権を有する従来のＭＮＯである。これらのサービスプロバイダにとって、運用上の例は、認可無線周波数スペクトル帯域上のＬＴＥ／ＬＴＥ−Ａ１次コンポーネントキャリア（ＰＣＣ）と、競合ベース無線周波数スペクトル上の少なくとも１つの２次コンポーネントキャリア（ＳＣＣ）とを使用する、ブートストラップモード（たとえば、補助ダウンリンク、キャリアアグリゲーション）を含み得る。
【００３９】
[0056]キャリアアグリゲーションモードでは、データおよび制御は、たとえば、（たとえば、第１の双方向リンク２２５、第３の双方向リンク２３５、および第５の双方向リンク２４５を介して）無競合ベース無線周波数スペクトル中で通信され得るが、データは、たとえば、（たとえば、第２の双方向リンク２３０および第４の双方向リンク２４０を介して）競合ベース無線周波数スペクトル中で通信され得る。競合ベース無線周波数スペクトルを使用するときにサポートされるキャリアアグリゲーション機構は、ハイブリッド周波数分割複信−時分割複信（ＦＤＤ−ＴＤＤ）キャリアアグリゲーション、またはコンポーネントキャリアにわたって異なる対称性を伴うＴＤＤ−ＴＤＤキャリアアグリゲーションの範疇に入り得る。
【００４０】
[0057]図３は、本開示の様々な態様による、競合ベース無線周波数スペクトルを使用するスタンドアロンモードにおいてＬＴＥ／ＬＴＥ−Ａが展開されるワイヤレス通信システム３００を示す。ワイヤレス通信システム３００は、図１および／または図２を参照しながら説明したワイヤレス通信システム１００および／または２００の部分の一例であり得る。その上、基地局３０５は、図１および／または図２を参照しながら説明した基地局１０５および／または２０５のうちの１つまたは複数の態様の一例であり得、ＵＥ３１５は、図１および／または図２を参照しながら説明したＵＥ１１５および／または２１５のうちの１つまたは複数の態様の一例であり得る。
【００４１】
[0058]ワイヤレス通信システム３００におけるスタンドアロンモードの例では、基地局３０５は、双方向リンク３５５を使用してＵＥ３１５にＯＦＤＭＡ波形を送信し得、双方向リンク３５５を使用してＵＥ３１５からＯＦＤＭＡ波形、ＳＣ−ＦＤＭＡ波形、および／またはリソースブロックインターリーブＦＤＭＡ波形を受信し得る。双方向リンク３５５は、図２を参照しながら説明した競合ベース無線周波数スペクトル中の周波数Ｆ３に関連付けられ得る。スタンドアロンモードは、スタジアム内アクセス（たとえば、ユニキャスト、マルチキャスト）など、非従来型のワイヤレスアクセスシナリオにおいて使用され得る。この動作モードのサービスプロバイダのタイプの一例は、無競合ベース無線周波数スペクトルへのアクセスを有しないスタジアムオーナー、ケーブル会社、イベントホスト、ホテル、企業、または大会社であり得る。
【００４２】
[0059]いくつかの例では、図１、図２、および／または図３を参照しながら説明した基地局１０５、２０５、および／または３０５（たとえば、ｅＮＢ）、あるいは図１、図２、および／または図３を参照しながら説明したＵＥ１１５、２１５、および／または３１５などの送信デバイスは、競合ベース無線周波数スペクトルのチャネルへのアクセスを獲得するためにゲーティング間隔を使用し得る。ゲーティング間隔は、ＥＴＳＩ（ＥＮ３０１  ８９３）において指定されているＬＢＴプロトコルに基づくリッスンビフォートーク（ＬＢＴ）プロトコルなどの競合ベースプロトコルの適用を定義し得る。ＬＢＴプロトコルの適用を定義するゲーティング間隔を使用するとき、ゲーティング間隔は、送信装置がＬＢＴ手順を実施する必要があるときを示し得る。ＬＢＴ手順の結果は、競合ベース無線周波数スペクトルのチャネルが利用可能であるか使用中であるかを送信装置に示し得る。チャネルが利用可能である（たとえば、使用のために「クリア」である）ことをＬＢＴ手順が示すとき、ゲーティング間隔は、送信装置が、たとえば、あらかじめ定義された送信間隔の間、チャネルを使用することを可能にし得る。チャネルが利用可能ではない（たとえば、使用中または予約済みである）ことをＬＢＴ手順が示すとき、ゲーティング間隔は、送信装置が送信間隔中にチャネルを使用するのを妨げ得る。
【００４３】
[0060]いくつかの例では、送信装置が、周期的にゲーティング間隔を生成し、ゲーティング間隔の少なくとも１つの境界を周期的フレーム構造の少なくとも１つの境界と同期させることが有用であり得る。たとえば、無競合ベース無線周波数スペクトルにおいてセルラーダウンリンクのための周期的ゲーティング間隔を生成し、周期的ゲーティング間隔の少なくとも１つの境界を、セルラーダウンリンクに関連する周期的フレーム構造（たとえば、ＬＴＥ／ＬＴＥ−Ａ無線フレーム）の少なくとも１つの境界と同期させることが有用であり得る。
【００４４】
[0061]図４は、本開示の様々な態様による、競合ベース無線周波数スペクトルを使用するセルラーダウンリンクまたはアップリンクのためのフレーム／間隔の例４００を示す図である。第１の競合ベースフレーム／間隔４０５、第２の競合ベースフレーム／間隔４１５、および／または第３の競合ベースフレーム／間隔４２５は、競合ベース無線周波数スペクトルを介した送信をサポートするｅＮＢによって周期的ゲーティング間隔として使用され得る。そのようなｅＮＢの例としては、図１、図２、および／または図３を参照しながら説明した基地局１０５、２０５、および／または３０５があり得る。第１の競合ベースフレーム／間隔４０５、第２の競合ベースフレーム／間隔４１５、および／または第３の競合ベースフレーム／間隔４２５は、図１、図２、および／または図３を参照しながら説明したワイヤレス通信システム１００、２００、および／または３００とともに使用され得る。
【００４５】
[0062]例として、第１の競合ベースフレーム／間隔４０５の持続時間は、セルラーダウンリンクに関連する周期的フレーム構造のＬＴＥ／ＬＴＥ−Ａ無線フレーム４１０の持続時間に等しい（またはそれにほぼ等しい）ものとして示されている。いくつかの例では、「ほぼ等しい」は、第１の競合ベースフレーム／間隔４０５の持続時間が周期的フレーム構造の持続時間のサイクリックプレフィックス（ＣＰ）持続時間内にあることを意味する。
【００４６】
[0063]第１の競合ベースフレーム／間隔４０５の少なくとも１つの境界は、ＬＴＥ／ＬＴＥ−Ａ無線フレームＮ−１〜Ｎ＋１を含む周期的フレーム構造の少なくとも１つの境界と同期され得る。場合によっては、第１の競合ベースフレーム／間隔４０５は、周期的フレーム構造のフレーム境界と整合された境界を有し得る。他の場合には、第１の競合ベースフレーム／間隔４０５は、周期的フレーム構造のフレーム境界と同期されているがそれからオフセットされた境界を有し得る。たとえば、第１の競合ベースフレーム／間隔４０５の境界は、周期的フレーム構造のサブフレーム境界と整合されるか、または周期的フレーム構造のサブフレーム中間点境界（たとえば、特定のサブフレームの中間点）と整合され得る。
【００４７】
[0064]場合によっては、周期的フレーム構造は、ＬＴＥ／ＬＴＥ−Ａ無線フレームＮ−１〜Ｎ＋１を含み得る。各ＬＴＥ／ＬＴＥ−Ａ無線フレーム４１０は、たとえば、１０ミリ秒の持続時間を有し得、第１の競合ベースフレーム／間隔４０５も１０ミリ秒の持続時間を有し得る。これらの場合、第１の競合ベースフレーム／間隔４０５の境界は、ＬＴＥ／ＬＴＥ−Ａ無線フレームのうちの１つ（たとえば、ＬＴＥ／ＬＴＥ−Ａ無線フレーム（Ｎ））の境界（たとえば、フレーム境界、サブフレーム境界、またはサブフレーム中間点境界）と同期され得る。
【００４８】
[0065]例として、第２の競合ベースフレーム／間隔４１５と第３の競合ベースフレーム／間隔４２５との持続時間は、セルラーダウンリンクに関連する周期的フレーム構造の持続時間の約数（またはそのほぼ約数）であるものとして示されている。いくつかの例では、「〜のほぼ約数」は、第２の競合ベースフレーム／間隔４１５または第３の競合ベースフレーム／間隔４２５の持続時間が周期的フレーム構造の約数（たとえば、１／２または１／１０）の持続時間のサイクリックプレフィックス（ＣＰ）持続時間内にあることを意味する。たとえば、第２の競合ベースフレーム／間隔４１５は５ミリ秒の持続時間を有し得、第３の競合ベースフレーム／間隔４２５は１ミリ秒または２ミリ秒の持続時間を有し得る。
【００４９】
[0066]図５Ａは、本開示の様々な態様による、競合ベース無線周波数スペクトルにわたるワイヤレス通信５１０の一例５００を示す。ＬＢＴ固定フレーム期間に対応し得るＴＤＤフレーム５１５は、１０ミリ秒の持続時間を有し得、いくつかのダウンリンクサブフレーム５２０と、いくつかのアップリンクサブフレーム５２５と、２つのタイプの特殊サブフレーム、Ｓサブフレーム５３０およびＳ’サブフレーム５３５とを含み得る。Ｓサブフレーム５３０は、ダウンリンクサブフレーム５２０とアップリンクサブフレーム５２５との間の遷移を提供し得、一方、Ｓ’サブフレーム５３５は、アップリンクサブフレーム５２５とダウンリンクサブフレーム５２０との間の遷移を提供し得る。Ｓ’サブフレーム５３５中に、図１、図２、および／または図３を参照しながら説明した基地局１０５および／または２０５のうちの１つまたは複数など、１つまたは複数の基地局によって、ワイヤレス通信５１０がその上で行われるチャネルをある時間期間の間予約するために、ダウンリンクＬＢＴ手順（Ｄ−ＬＢＴ）５４０が実施され得る。基地局による成功したＤ−ＬＢＴ５４０に続いて、基地局は、基地局がチャネルを予約したという指示を他の基地局および／または装置に提供するためにチャネル使用ビーコン信号（ＣＵＢＳ：channel usage beacon signal）５４５を送信し得る。
【００５０】
[0067]Ｓ’サブフレーム５３５は、図５Ａにおいて０〜１３の番号を付された、１４個のＯＦＤＭシンボルを含み得る。Ｓ’サブフレーム５３５の第１の部分、この例ではシンボル０〜５は、ＬＴＥ／ＬＴＥ−Ａ通信規格との互換性のために必要とされ得る、サイレントＤＬ期間として基地局によって使用され得る。したがって、基地局は、サイレントＤＬ期間中にデータを送信しないことがあるが、ＵＥは、サイレントＤＬ期間中に何らか量のアップリンクデータを送信し得る。Ｓ’サブフレーム５３５の第２の部分はＤ−ＬＢＴ５４０のために使用され得る。例５００では、Ｓ’サブフレーム５３５は、シンボル６〜１２中に含まれる７つのＤ−ＬＢＴスロットを含む。様々なネットワーク事業者によるＤ−ＬＢＴスロットの使用は、より効率的なシステム動作を提供するために協調させられ得る。いくつかの例では、Ｄ−ＬＢＴ手順を実施するために７つの可能なＤ−ＬＢＴスロットのうちのどれを使用すべきかを決定するために、基地局１０５は、以下の形式のマッピング関数を評価し得る。
【００５１】
【数１】
2017502616.tif 000003
【００５２】
ここで、ＧｒｏｕｐＩＤは、基地局１０５に割り当てられた「展開グループｉｄ」であり、ｔは、Ｄ−ＬＢＴが実施されるフレームに対応するＬＢＴフレーム番号である。
【００５３】
[0068]図５Ｂは、本開示の様々な態様による、競合ベース無線周波数スペクトルにわたるワイヤレス通信５５５の一例５５０を示す。図５ＡのＬＢＴフレーム期間に対応し得、ＬＢＴ固定フレーム期間に対応し得る、ＴＤＤフレーム５１５は、いくつかのダウンリンクサブフレーム５２０と、いくつかのアップリンクサブフレーム５２５と、２つのタイプの特殊サブフレーム、Ｓサブフレーム５３０およびＳ’サブフレーム５３５とを含み得る。上記で説明したように、Ｓサブフレーム５３０は、ダウンリンクサブフレーム５２０とアップリンクサブフレーム５２５との間の遷移を提供し得、一方、Ｓ’サブフレーム５３５は、アップリンクサブフレーム５２５とダウンリンクサブフレーム５２０との間の遷移を提供し得る。Ｓサブフレーム５３０中に、図１、図２、および／または図３を参照しながら上記で説明したＵＥ１１５、２１５、および３１５のうちの１つまたは複数など、１つまたは複数のＵＥによって、ワイヤレス通信５５５がその上で行われるチャネルをある時間期間の間予約するために、アップリンクＬＢＴ手順（Ｕ−ＬＢＴ）５６５が実施され得る。ＵＥによる成功したＵ−ＬＢＴ５６５に続いて、ＵＥは、ＵＥがチャネルを予約したという指示を他のＵＥおよび／または装置に提供するためにチャネル使用ビーコン信号（ＣＵＢＳ）５７０を送信し得る。
【００５４】
[0069]Ｓサブフレーム５３０は、図５Ｂにおいて０〜１３の番号を付された、１４個のＯＦＤＭシンボルを含み得る。Ｓサブフレーム５３０の第１の部分、この例ではシンボル０〜３は、ダウンリンクパイロットタイムスロット（ＤｗＰＴＳ）５７５として使用され得、Ｓサブフレーム５３０の第２の部分はガード期間（ＧＰ）５８０として使用され得る。Ｓサブフレーム５３０の第３の部分はＵ−ＬＢＴ５６５のために使用され得る。例５５０では、Ｓサブフレーム５３０は、シンボル６〜１２中に含まれる７つのＵ−ＬＢＴスロットを含む。様々なＵＥによるＵ−ＬＢＴスロットの使用は、より効率的なシステム動作を提供するために協調させられ得る。いくつかの例では、Ｕ−ＬＢＴ手順を実施するために７つの可能なＵ−ＬＢＴスロットのうちのどれを使用すべきかを決定するために、ＵＥは、以下の形式のマッピング関数を評価し得る。
【００５５】
【数２】
2017502616.tif 000004
【００５６】
ここで、ＧｒｏｕｐＩＤは、ＵＥに割り当てられた「展開グループｉｄ」であり、ｔは、Ｕ−ＬＢＴが実施されるフレームに対応するＬＢＴフレーム番号である。
【００５７】
[0070]Ｄ−ＬＢＴおよび／またはＵ−ＬＢＴのマッピング関数は、マッピング関数が直交化性質を有することになるか非直交化特性を有することになるかに応じて、異なる基準に基づいて構成され得る。直交ＬＢＴアクセスを伴う例では、マッピング関数は、ｘ≠ｙが異なるグループｉｄを表すときはいつでも、すべての時間ｔについて、
【００５８】
【数３】
2017502616.tif 000005
【００５９】
に従って直交化特性を有し得る。この場合、異なるグループｉｄをもつ基地局および／またはＵＥは、重複しないＬＢＴ時間間隔中にＬＢＴ手順を実施し得る。干渉がない場合、より前のＬＢＴタイムスロットにマッピングするグループｉｄをもつ基地局またはＵＥは、ある時間期間の間チャネルを確保し得る。様々な展開によれば、このマッピング関数は、様々な時間インデックスｔにわたって、マッピング｛ＦD/U（ｘ，ｔ），ｔ＝１，２，３，．．．｝が、異なるグループｉｄが適切に長い時間間隔にわたってより前のＬＢＴタイムスロットにマッピングする機会が等しくなる（したがって、他の干渉がないが場合にチャネルを確保する）ように変化するという意味で公正である。
【００６０】
[0071]同じネットワーク事業者／サービスプロバイダによって展開されるすべての基地局およびＵＥは、それらが競合プロセスにおいて互いをプリエンプトしないように、同じグループｉｄを割り当てられ得る。これにより、同じ展開の基地局とＵＥとの間で完全な周波数再利用が可能になり、システムスループットが向上する。異なる展開の基地局および／またはＵＥは、直交ＬＢＴスロットマッピングによって、チャネルへのアクセスが相互排他的になるように、異なるグループｉｄを割り当てられ得る。
【００６１】
[0072]非直交ＬＢＴスロットアクセスまたは重複ＬＢＴスロットアクセスを伴う例では、マッピング関数は、８つ以上のグループｉｄを可能にし得る。いくつかの状況では、たとえば、８つ以上の展開グループｉｄをサポートすることが有用であり得、その場合、ＬＢＴスロットマッピング関数のオーソグナリティ（orthognality）特性を維持することは不可能である。そのような場合、任意の２つのグループｉｄ間の衝突の頻度を低減することが望ましいことがある。いくつかの例では、ＬＢＴ機会を厳密に調整せずに展開間の公正なチャネル共有を実現するために非直交ＬＢＴスロットマッピングシーケンスも使用され得る。非直交ＬＢＴスロットマッピングシーケンスの一例は次式によって与えられる。
【００６２】
【数４】
2017502616.tif 000006
【００６３】
ここで、Ｒ1,7（ｘ，ｔ）は、ＧｒｏｕｐＩＤ  ｘについて独立して選定される１と７の間の擬似乱数生成器である。この場合、同じＬＢＴフレームｔにおける異なるＧｒｏｕｐＩＤの基地局および／またはＵＥ間に潜在的衝突があり得る。
【００６４】
[0073]したがって、ＬＢＴタイムスロットは、言及したマッピング関数に従って選択され、Ｄ−ＬＢＴ５４０および／またはＵ−ＬＢＴ５６５のために使用され得る。
【００６５】
[0074]ＵＥとの通信のいくつかのモードは、複数のチャネル（すなわち、コンポーネントキャリア）にわたる通信を必要とし得、各チャネルは、ＵＥと、異なるコンポーネントキャリアを利用するいくつかのセル（たとえば、場合によっては異なる基地局であり得るサービングセル）のうちの１つとの間で確立される。いくつかの例では、２つ以上のセルは、キャリアアグリゲーションおよび／またはデュアル接続性（たとえば、マルチフロー）通信モードにおいて見つけられ得るように、異なるキャリア周波数またはコンポーネントキャリアを使用し得る。他の例では、２つ以上のセルは、多地点協調（ＣｏＭＰ）通信モードにおいて見つけられ得るように、同じキャリア周波数であり得る。とにかく、各コンポーネントキャリアは、無競合ベース無線周波数スペクトルまたは競合ベース無線周波数スペクトルを介して使用され得、特定の通信モードに関与するコンポーネントキャリアのセットは、無競合ベース無線周波数スペクトルを介してすべて受信されるか、競合ベース無線周波数スペクトルを介してすべて受信されるか、または無競合ベース無線周波数スペクトルと競合ベース無線周波数スペクトルとの組合せを介して受信され得る。競合ベース無線周波数スペクトルにわたってコンポーネントキャリアを使用する通信を確立するために、競合ベース無線周波数スペクトルへのアクセスを求めて競合するためにＬＢＴ手順が実施され得る。ＬＢＴ手順が成功したとき、コンポーネントキャリアは、競合ベース無線周波数スペクトル中の通信のために使用され得る。ＬＢＴ手順が失敗したとき、コンポーネントキャリアは使用され得ない。
【００６６】
[0075]図６は、本開示の様々な態様による、ダウンリンクコンポーネントキャリア６０５とアップリンクコンポーネントキャリア６１０との例示的なセット６００を示す。より詳細には、例として、図６は、５つのダウンリンク（ＤＬ）コンポーネントキャリア（ＣＣ）６０５と、５つのアップリンク（ＵＬ）ＣＣ６１０とを示す。ＤＬ  ＣＣ６０５は、ＤＬ１次コンポーネントキャリア（ＤＬ  ＰＣＣ）６０５−ａと、第１のＤＬ２次コンポーネントキャリア（ＤＬ  ＳＣＣ）６０５−ｂと、第２のＤＬ  ＳＣＣ６０５−ｃと、第３のＤＬ  ＳＣＣ６０５−ｄと、第４のＤＬ  ＳＣＣ６０５−ｅとを含む。同様に、ＵＬ  ＣＣ６１０は、ＵＬ  ＰＣＣ６１０−ａと、第１のＵＬ  ＳＣＣ６１０−ｂと、第２のＵＬ  ＳＣＣ６１０−ｃと、第３のＵＬ  ＳＣＣ６１０−ｄと、第４のＵＬ  ＳＣＣ６１０−ｅとを含む。ＵＬ  ＰＣＣ６１０−ａは、ＬＴＥ／ＬＴＥ−Ａネットワークなどのネットワークのために、物理アップリンク制御チャネル（ＰＵＣＣＨ）を搬送し得、ＵＬ  ＰＣＣ６１０−ａと、第１のＵＬ  ＳＣＣ６１０−ｂと、第２のＵＬ  ＳＣＣ６１０−ｃと、第３のＵＬ  ＳＣＣ６１０−ｄと、第４のＵＬ  ＳＣＣ６１０−ｅとの各々は物理アップリンク共有チャネル（ＰＵＳＣＨ）を搬送し得る。肯定応答および否定応答（ＡＣＫ／ＮＡＫ）、チャネル状態情報（ＣＳＩ）、および／またはスケジューリング要求（ＳＲ）制御情報などのアップリンク制御情報は、いくつかの例では、ＰＵＣＣＨ上で送信され得る。
【００６７】
[0076]いくつかの例では、ＤＬ  ＰＣＣ６０５−ａと、第１のＤＬ  ＳＣＣ６０５−ｂと、第２のＤＬ  ＳＣＣ６０５−ｃと、第３のＤＬ  ＳＣＣ６０５−ｄと、第４のＤＬ  ＳＣＣ６０５−ｅとの各々は、ＤＬ  ＰＣＣ６０５−ａに対応する第１のセルと、第１のＤＬ  ＳＣＣ６０５−ｂに対応する第２のセルと、第２のＤＬ  ＳＣＣ６０５−ｃに対応する第３のセルと、第３のＤＬ  ＳＣＣ６０５−ｄに対応する第４のセルと、第４のＤＬ  ＳＣＣ６０５−ｅに対応する第５のセルとについてのアップリンク制御情報を報告するために、ＵＬ  ＰＣＣ６１０−ａにマッピングされ得る。ＵＬ  ＰＣＣ６１０−ａ上で搬送されるＰＵＣＣＨのオーバーヘッドを低減するために、ＰＵＣＣＨは、第１のセルと第２のセルと第３のセルと第４のセルと第５のセルとの各々についてのアップリンク制御情報を報告するために、ＵＬ  ＰＣＣ６１０−ａのアップリンクサブフレームにおけるリソース（たとえば、１つまたは複数のＯＦＤＭシンボルなどの共有リソース）が使用されるように構成され得る。したがって、アップリンクサブフレームにおけるリソースの競合が存在し得る。競合を解決するために、第１のセルと第２のセルと第３のセルと第４のセルと第５のセルとの各々についてのアップリンク制御情報の報告は、第１のセルと第２のセルと第３のセルと第４のセルと第５のセルとのうちの１つについてのアップリンク制御情報がリソースの特定のインスタンス中に送信されるように、優先度を付けられ得る。
【００６８】
[0077]周期的アップリンク制御情報報告および／または非周期的アップリンク制御情報報告は、データおよび制御情報が（たとえば異なるコンポーネントキャリアを使用して）複数のセルからＤＬ  ＣＣ６０５などのＤＬ  ＣＣのセットを介してＵＥに送信され、ＵＬ  ＣＣ６１０などのＵＬ  ＣＣのセットを介してＵＥからそれらの複数のセルに対応する基地局のうちの１つまたは複数に送信されるシステムにおいてサポートされ得る。キャリアアグリゲーションモードにおける周期的アップリンク制御情報報告の一例では、アップリンク制御情報の報告は、ＣＳＩの報告タイプの優先度レベルに基づいて優先度を付けられ得る。
【００６９】
[0078]いくつかの例では、ＣＳＩの報告タイプの優先度レベルは、ＣＳＩの報告タイプがランクインジケータ（ＲＩ）、プリコーディングタイプインジケータ（ＰＴＩ）、または広帯域プリコーディング行列インジケータ（ＰＭＩ）（たとえば、３、５、６、または２ａの報告タイプ）のうちの少なくとも１つを含むときの最高優先度レベル、ＣＳＩの報告タイプが広帯域チャネル品質指示（ＣＱＩ）、またはＰＭＩをもつ広帯域ＣＱＩ（たとえば、２、２ｂ、２ｃ、または４の報告タイプ）のうちの少なくとも１つを含むときの中間優先度レベル、ならびに／あるいはＣＳＩの報告タイプがサブバンドＣＱＩ、またはＰＭＩをもつサブバンドＣＱＩ（たとえば、１、１ａの報告タイプ）のうちの少なくとも１つを含むときの低優先度レベルを含み得る。ＣＳＩの報告タイプの優先度レベルが２つ以上のセルについて同じであるとき、アップリンク制御情報を報告するための優先度は、競合するセルのサービングセルインデックスの比較に基づいて決定され得る。たとえば、より低いセルインデックスをもつセルは、より高いセルインデックスをもつセルに勝る優先度を与えられ得る。複数のセルのためのサービングセルインデックスはＵＥごとに構成され得る。ＰＵＳＣＨが送信されるかどうかにかかわらず、同じ優先度ルールが適用であり得る。
【００７０】
[0079]複数のセルについてのアップリンク制御情報の報告に優先度を付けた後に、最も高い優先度に関連するセルについてのアップリンク制御情報は、競合が存在するリソースを使用して報告され得、残りのセルについてのアップリンク制御情報は廃棄され得る。
【００７１】
[0080]キャリアアグリゲーションモードにおける非周期的アップリンク制御情報報告の一例では、アップリンク制御情報の報告は、２ビットＣＳＩ要求フィールドの状態に基づいて優先度を付けられ得、これにおいて、「００」状態は、ＣＳＩが報告されるべきでないことを示し得、「０１」状態は、ＵＬ  ＰＣＣ６１０−ａにシステム情報ブロック２（ＳＩＢ２）リンクされたセル／ＤＬ  ＣＣ６０５についてのそのアップリンク制御情報を示し得、「１０」および「１１」状態は、複数のセルについてのアップリンク制御情報の報告の優先度付けが無線リソース制御（ＲＲＣ）によって構成されることを示し得る。通例の探索空間では、「０」状態は、ＣＳＩが報告されるべきでないことを示し得、「１」状態は、複数のセルについてのアップリンク制御情報の報告の優先度付けがＲＲＣによって構成されることを示し得る。ＲＲＣは、最高５つのコンポーネントキャリアの任意の組合せのための報告に優先度を付け得る。
【００７２】
[0081]次に、図６に示されたＤＬ  ＣＣ６０５などのＤＬ  ＣＣのセットを考察し、これにおいて、ＤＬ  ＰＣＣ６０５−ａなどの第１のＤＬ  ＣＣは、無競合ベース無線周波数スペクトル（たとえば、ＬＴＥ／ＬＴＥ−Ａ基地局およびＵＥによる使用のために認可された無線周波数スペクトル）を介して送信され、ＤＬ  ＳＣＣ６０５−ｂなどの第２のＤＬ  ＣＣは、競合ベース無線周波数スペクトル（たとえば、ＬＴＥ／ＬＴＥ  Ａ基地局およびＵＥがそれへのアクセスを求めて競合する必要がある無線周波数スペクトル）を介して送信される。ＤＬ  ＰＣＣはいくつかの例では「０」のサービングセルインデックス（すなわち、最も低いサービングセルインデックス）を割り当てられるので、ＣＳＩの報告タイプの優先度レベルに基づいてリソースの競合があるときはいつでも、ＤＬ  ＰＣＣ６０５−ａに関連付けられたセルは優先権を与えられることになる。競合ベース無線周波数スペクトルの使用が、成功したＬＢＴ手順を介して競合ベース無線周波数スペクトルへのアクセスを求めて競合することに依存する（したがって日和見的である）ということと併せて、これは、ＤＬ  ＳＣＣ６０５−ｂに関連するセルについてのアップリンク制御情報の報告が低頻度であるか、または場合によっては、事実上ブロックされ得ることを意味する。しかしながら、競合ベース無線周波数スペクトルへのアクセスを求めて競合する動的性質のために、特に長い一連の失敗したＬＢＴ手順があるとき、競合ベース無線周波数スペクトルを介してＣＣを使用するセルについてのアップリンク制御情報は、より有益であり得る。したがって、セルが競合ベース無線周波数スペクトルを利用するかどうかに少なくとも部分的に基づいて、アップリンクサブフレームの共有リソースのために、アップリンク制御情報の報告に優先度を付けることが有用であり得る。
【００７３】
[0082]図７は、本開示の様々な態様による、図６に示されたダウンリンク（ＤＬ）コンポーネントキャリア（ＣＣ）６０５に対応するセルの第１の例示的なグルーピングおよび優先度付け７００を示す。グルーピングは、各ＤＬ  ＣＣ６０５に関連するセルが競合ベース無線周波数スペクトルを利用するかどうかに少なくとも部分的に基づく。例として、ＤＬ  ＰＣＣ６０５−ａに関連するセルは、ＤＬ  ＰＣＣ６０５−ａが第１のグループ７０５中に入れられるように、無競合ベース無線周波数スペクトルを利用することを示され、第１のＤＬ  ＳＣＣ６０５−ｂと、第２のＤＬ  ＳＣＣ６０５−ｃと、第３のＤＬ  ＳＣＣ６０５−ｄと、第４のＤＬ  ＳＣＣ６０５−ｅとに関連するセルは、第１のＤＬ  ＳＣＣ６０５−ｂと第２のＤＬ  ＳＣＣ６０５−ｃと第３のＤＬ  ＳＣＣ６０５−ｄと第４のＤＬ  ＳＣＣ６０５−ｅとが第２のグループ７１０中に編成されるように、競合ベース無線周波数スペクトルを利用することを示される。ＤＬ  ＰＣＣ６０５−ａと、第１のＤＬ  ＳＣＣ６０５−ｂと、第２のＤＬ  ＳＣＣ６０５−ｃと、第３のＤＬ  ＳＣＣ６０５−ｄと、第４のＤＬ  ＳＣＣ６０５−ｅとに対応するセルについてのアップリンク制御情報の報告に優先度を付けるとき、第２のグループ７１０のＤＬ  ＣＣ６０５に対応するセルは、第１のグループ７０５のＤＬ  ＣＣ６０５に対応するセルに勝る優先度を与えられ得、それにより、競合ベース無線周波数スペクトルを利用するセルについてのアップリンク制御情報の報告が、無競合ベース無線周波数スペクトルを利用するセルについてのアップリンク制御情報の報告に勝る優先度を与えられることが保証される。各グループ内で（たとえば、第１のグループ７０５内で、および第２のグループ７１０内で）、より低いサービングセルインデックスをもつセルは、より高いサービングセルインデックスをもつセルに勝る優先度を与えられ得る。
【００７４】
[0083]図８は、本開示の様々な態様による、図６に示されたＤＬ  ＣＣ６０５に対応するセルの第２の例示的なグルーピングおよび優先度付け８００を示す。グルーピングは、各ＤＬ  ＣＣ６０５に関連するセルが競合ベース無線周波数スペクトルを利用するかどうかに少なくとも部分的に基づく。例として、ＤＬ  ＰＣＣ６０５−ａに関連するセルは、ＤＬ  ＰＣＣ６０５−ａが第１のグループ８０５中に入れられるように、無競合ベース無線周波数スペクトルを利用することを示される。第１のＤＬ  ＳＣＣ６０５−ｂと、第２のＤＬ  ＳＣＣ６０５−ｃと、第３のＤＬ  ＳＣＣ６０５−ｄと、第４のＤＬ  ＳＣＣ６０５−ｅとに関連するセルは、競合ベース無線周波数スペクトルを利用することを示される。しかしながら、競合ベース無線周波数スペクトルを利用するセルは、競合ベース無線周波数スペクトルへの競合が成功したセルのサブグループ（たとえば、測定されるべき基準信号（ＲＳ）を含んでいる有効な測定サブフレームが送信されていることがあり、アップリンク制御情報を生成するための有効な１つまたは複数の測定値が取得されていることがあるセルのサブグループ）と、競合ベース無線周波数スペクトルへの競合が失敗したセルのサブグループ（たとえば、測定されるべきＲＳを含んでいる有効な測定サブフレームが送信されていないであろうし、またアップリンク制御情報を生成するための有効な１つまたは複数の測定値が取得されていないであろうセルのサブグループ）とにさらに分割され得る。セルのこのさらなる分割は、競合ベース無線周波数スペクトルへの競合が成功したことに基づいて第１のＤＬ  ＳＣＣ６０５−ｂと第２のＤＬ  ＳＣＣ６０５−ｃとが第２のグループ８１０中に編成されることを引き起こし得、競合ベース無線周波数スペクトルへの競合が失敗したことに基づいて第３のＤＬ  ＳＣＣ６０５−ｄと第４のＤＬ  ＳＣＣ６０５−ｅとが第３のグループ８１５中に編成されることを引き起こし得る。ＤＬ  ＰＣＣ６０５−ａと、第１のＤＬ  ＳＣＣ６０５−ｂと、第２のＤＬ  ＳＣＣ６０５−ｃと、第３のＤＬ  ＳＣＣ６０５−ｄと、第４のＤＬ  ＳＣＣ６０５−ｅとに対応するセルについてのアップリンク制御情報の報告に優先度を付けるとき、第２のグループ８１０のＤＬ  ＣＣ６０５に対応するセルは、第１のグループ８０５のＤＬ  ＣＣ６０５に対応するセルに勝る優先度を与えられ得、第１のグループ８０５のＤＬ  ＣＣ６０５に対応するセルは、第３のグループ８１５のＤＬ  ＣＣ６０５に対応するセルに勝る優先度を与えられ得、それにより、競合ベース無線周波数スペクトルを利用し、競合ベース無線周波数スペクトルへのアクセスを獲得したセルについてのアップリンク制御情報の報告は、他のセルの報告に勝る優先度を与えられることと保証され、競合ベース無線周波数スペクトルを利用するが、競合ベース無線周波数スペクトルへのアクセスを獲得しなかったセルについてのアップリンク制御情報の報告は、他のセルよりも低い優先度を与えられることが保証される。代替的に、第１のグループ８０５と、第２のグループ８１０と、第３のグループ８１５とは、第２のグループ８１０が第３のグループ８１５を上回る優先度を付けられること、および第３のグループ８１５が第１のグループ８０５を上回る優先度を付けられることなど、他の方法で優先度を付けられ得る。たとえば、第２のグループ８１０のセルは競合ベース無線周波数スペクトルへのアクセスを求めて成功裏に競合した一方で、第３のグループ８１５のセルは競合ベース無線周波数スペクトルへのアクセスを求めて競合することに失敗したので、第２のグループ８１０の１つまたは複数のセルは、第３のグループ８１５の１つまたは複数のセルよりも高いセルインデックスを有し得るが、第２のグループ８１０は、第３のグループ８１５を上回る優先度を付けられ得る。各グループ内で、異なるセルについてのアップリンク制御情報の報告は、たとえば、サービングセルインデックスによって優先度を付けられ得る（たとえば、より低いサービングセルインデックスを有するセルについてのアップリンク制御情報の報告は、より高いサービングセルインデックスを有するセルについてのアップリンク制御情報の報告に勝る優先度を与えられる）。
【００７５】
[0084]上記で説明したように、第３のグループ８１５のＤＬ  ＣＣ６０５に対応するセルについてのアップリンク制御情報の報告は、それらのセルが競合ベース無線周波数スペクトルへのアクセスを獲得することに失敗したので、より低い（たとえば、第１のグループ８０５および／または第２のグループ８１０の優先度よりも低い）優先度を与えられ得る。たとえば、第３のグループ８１５のＤＬ  ＣＣ６０５に対応するセルは、（たとえば、有効な測定値を取得することに失敗したので）前に記憶されたアップリンク制御情報を報告し得る。したがって、第３のグループ８１５のＤＬ  ＣＣ６０５に対応するセルについてのアップリンク制御情報の報告は、前に記憶されたアップリンク制御情報がアップリンク制御情報の現在の状態を正確に反映しないことがあるので、より低い優先度を割り当てられ得る。別の例では、第３のグループ８１５のＤＬ  ＣＣ６０５に対応するセルは、前に記憶されたアップリンク制御情報が時間しきい値内に（たとえば、現在の報告期間の５秒以内に）取得されたとき、その前に記憶されたアップリンク制御情報を報告し得る。他の例では、第３のグループ８１５のＤＬ  ＣＣ６０５に対応するセルは、それらのセルが競合ベース無線周波数スペクトルへのアクセスを獲得することに失敗したときにネットワークリソースを節約するために、アップリンク制御情報を報告することを省略し得る。第３のグループ８１５のＤＬ  ＣＣ６０５に対応するセルが報告アップリンク制御情報を省略したとき、第３のグループ８１５のセルは優先度付けプロセス中に考慮されないことがある。
【００７６】
[0085]図９は、本開示の様々な態様による、図６に示されたＤＬ  ＣＣ６０５に対応するセルの第３の例示的な優先度付け９００を示す。優先度付けは、各セルのサービングセルインデックスに少なくとも部分的に基づく。サービングセルインデックスは、基地局または他の装置によって割り当てられ得、１つまたは複数のＵＥに固有であり得る。サービングセルインデックスは、アップリンク制御情報の報告の優先権が、競合ベース無線周波数スペクトルを利用するセルに与えられるような方法で割り当てられ得る。したがって、例として、第１のＤＬ  ＳＣＣ６０５−ｂと、第２のＤＬ  ＳＣＣ６０５−ｃと、第３のＤＬ  ＳＣＣ６０５−ｄと、第４のＤＬ  ＳＣＣ６０５−ｅとに関連するセルは、競合ベース無線周波数スペクトルのそれらの利用に基づいて「０」（すなわち、最も高い優先度）と「１」と「２」と「３」とのそれぞれのサービングセルインデックスを割り当てられ得、ＤＬ  ＰＣＣ６０５−ａに関連するセルは、無競合ベース無線周波数スペクトルのそれの利用に基づいて「４」（すなわち、最も低い優先度）のサービングセルインデックスを割り当てられ得る。他の優先度付けも、基地局または他の装置が様々なセルのサービングセルインデックス割当てを変更することによって達成され得る。場合によっては、競合ベース無線周波数スペクトルを利用する１つまたは複数のセルについてのアップリンク制御情報の報告よりも、無競合ベース無線周波数スペクトルを利用するセルについてのアップリンク制御情報の報告に優先度を付けることが望ましいことがある。
【００７７】
[0086]図１０は、本開示の様々な態様による、ワイヤレス通信において使用するための装置１０１５のブロック図１０００を示す。いくつかの例では、装置１０１５は、図１、図２、および／または図３を参照しながら説明したＵＥ１１５、２１５、および／または３１５のうちの１つまたは複数の態様の一例であり得る。装置１０１５はプロセッサでもあり得る。装置１０１５は、受信機モジュール１０１０、ワイヤレス通信管理モジュール１０２０、および／または送信機モジュール１０３０を含み得る。これらの構成要素の各々は互いに通信していることがある。
【００７８】
[0087]デバイス１０１５の構成要素は、ハードウェアにおいて適用可能な機能の一部または全部を実施するように適応された１つまたは複数の特定用途向け集積回路（ＡＳＩＣ）を使用して、個々にまたは集合的に実装され得る。代替的に、機能は、１つまたは複数の他の処理ユニット（またはコア）によって、１つまたは複数の集積回路上で実施され得る。他の例では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリに組み込まれた命令を用いて実装され得る。
【００７９】
[0088]いくつかの例では、受信機モジュール１０１０は、無競合ベース無線周波数スペクトル（たとえば、無線周波数スペクトルが特定の使用のために特定のユーザに認可されているので、装置がそれへのアクセスを求めて競合しない無線周波数スペクトル）、および／または競合ベース無線周波数スペクトル（たとえば、無線周波数スペクトルが認可不要の使用に開かれているので、装置がそれへのアクセスを求めて競合する無線周波数スペクトル）を介して送信を受信するように動作可能な少なくとも１つの無線周波数（ＲＦ）受信機など、少なくとも１つのＲＦ受信機を含み得る。いくつかの例では、無競合ベース無線周波数スペクトルと競合ベース無線周波数スペクトルの両方は、たとえば、図２および／または図３を参照しながら説明したように、ＬＴＥ／ＬＴＥ−Ａ通信のために使用され得る。受信機モジュール１０１０は、図１、図２、および／または図３を参照しながら説明したワイヤレス通信システム１００、２００、および／または３００の１つまたは複数の通信リンク１２５など、ワイヤレス通信システムの１つまたは複数の通信リンクを介して、様々なタイプのデータおよび／または制御信号（すなわち、送信）を受信するために使用され得る。通信リンク１２５は、無競合ベース無線周波数スペクトルおよび／または競合ベース無線周波数スペクトルを介して確立され得る。
【００８０】
[0089]いくつかの例では、送信機モジュール１０３０は、無競合ベース無線周波数スペクトルおよび／または競合ベース無線周波数スペクトルを介して送信するように動作可能な少なくとも１つのＲＦ送信機など、少なくとも１つのＲＦ送信機を含み得る。送信機モジュール１０３０は、図１、図２、および／または図３を参照しながら説明したワイヤレス通信システム１００、２００、および／または３００の１つまたは複数の通信リンク１２５など、ワイヤレス通信システムの１つまたは複数の通信リンクを介して、様々なタイプのデータおよび／または制御信号（すなわち、送信）を送信するために使用され得る。通信リンク１２５は、無競合ベース無線周波数スペクトルおよび／または競合ベース無線周波数スペクトルを介して確立され得る。
【００８１】
[0090]いくつかの例では、ワイヤレス通信管理モジュール１０２０は、受信機モジュール１０１０を介したワイヤレス通信の受信を管理するために、および／または送信機モジュール１０３０を介したワイヤレス通信の送信を管理するために使用され得る。受信機モジュール１０１０を介したワイヤレス通信の受信を管理することは、異なるダウンリンクサブフレーム中でおよび異なるセルから（たとえば、異なるサービングセルから、ここで、各サービングセルは異なるコンポーネントキャリアを介して通信する）受信されるワイヤレス通信の受信を管理することを含み得る。いくつかの例では、２つ以上のセルは、キャリアアグリゲーションおよび／またはデュアル接続性（たとえば、マルチフロー）通信モードにおいて見つけられ得るように、異なるキャリア周波数であり得る。他の例では、２つ以上のセルは、多地点協調（ＣｏＭＰ）通信モードにおいて見つけられ得るように、同じキャリア周波数であり得る。とにかく、各コンポーネントキャリアは、無競合ベース無線周波数スペクトルまたは競合ベース無線周波数スペクトルを介して受信され得、特定の通信モードに関与するコンポーネントキャリアのセットは、無競合ベース無線周波数スペクトルを介してすべて受信されるか、競合ベース無線周波数スペクトルを介してすべて受信されるか、または無競合ベース無線周波数スペクトルと競合ベース無線周波数スペクトルとの組合せを介して受信され得る。
【００８２】
[0091]送信機モジュール１０３０を介したワイヤレス通信の送信を管理することは、異なるアップリンクサブフレーム中でのおよび異なるセルへのワイヤレス通信の送信を管理することを含み得る。いくつかの例では、少なくとも、第１のセルについての第１のアップリンク制御情報を報告することと、第２のセルについての第２のアップリンク制御情報を報告することとの間の競合を含む競合など、アップリンクサブフレームにおけるリソースの競合があり得る。第１のセルについての第１のアップリンク制御情報は、第１のセルからのそれぞれのダウンリンクサブフレームの受信中に取得される測定値に基づいて生成され得、第２のセルについての第２のアップリンク制御情報は、第２のセルからのそれぞれのダウンリンクサブフレームの受信中に取得される測定値に基づいて生成され得る。アップリンクサブフレームにおけるリソースの競合を解決するために、ワイヤレス通信管理モジュール１０２０は、たとえば、アップリンク制御情報の報告に優先度を付け得る。
【００８３】
[0092]図１１は、本開示の様々な態様による、ワイヤレス通信において使用するための装置１１１５のブロック図１１００を示す。いくつかの例では、装置１１１５は、図１、図２、および／または図３を参照しながら説明したＵＥ１１５、２１５、および／または３１５のうちの１つまたは複数の態様、ならびに／あるいは図１０を参照しながら説明した装置１０１５のうちの１つまたは複数の態様の一例であり得る。装置１１１５はプロセッサでもあり得る。装置１１１５は、受信機モジュール１１１０、ワイヤレス通信管理モジュール１１２０、および／または送信機モジュール１１３０を含み得る。これらの構成要素の各々は互いに通信していることがある。
【００８４】
[0093]装置１１１５の構成要素は、ハードウェアにおいて適用可能な機能の一部または全部を実装するように適応された１つまたは複数のＡＳＩＣを使用して、個々にまたは集合的に実装され得る。代替的に、機能は、１つまたは複数の他の処理ユニット（またはコア）によって、１つまたは複数の集積回路上で実施され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリに組み込まれた命令を用いて実装され得る。
【００８５】
[0094]いくつかの例では、受信機モジュール１１１０は、無競合ベース無線周波数スペクトル（たとえば、無線周波数スペクトルが特定の使用のために特定のユーザに認可されているので、装置がそれへのアクセスを求めて競合しない無線周波数スペクトル）、および／または競合ベース無線周波数スペクトル（たとえば、無線周波数スペクトルが認可不要の使用に開かれているので、装置がそれへのアクセスを求めて競合する無線周波数スペクトル）を介して送信を受信するように動作可能な少なくとも１つのＲＦ受信機など、少なくとも１つのＲＦ受信機を含み得る。いくつかの例では、無競合ベース無線周波数スペクトルと競合ベース無線周波数スペクトルの両方は、たとえば、図２および／または図３を参照しながら説明したように、ＬＴＥ／ＬＴＥ−Ａ通信のために使用され得る。受信機モジュール１１１０は、場合によっては、無競合ベース無線周波数スペクトルと競合ベース無線周波数スペクトルとのために別個の受信機を含み得る。これらの別個の受信機は、いくつかの例では、無競合ベース無線周波数スペクトルを介して通信するための認可スペクトルＬＴＥ／ＬＴＥ−Ａ受信機モジュール１１１２と、競合ベース無線周波数スペクトルを介して通信するための認可不要スペクトルＬＴＥ／ＬＴＥ−Ａ受信機モジュール１１１４との形態をとり得る。認可スペクトルＬＴＥ／ＬＴＥ−Ａ受信機モジュール１１１２および／または認可不要スペクトルＬＴＥ／ＬＴＥ−Ａ受信機モジュール１１１４を含む、受信機モジュール１１１０は、図１、図２、および／または図３を参照しながら説明したワイヤレス通信システム１００、２００、および／または３００の１つまたは複数の通信リンク１２５など、ワイヤレス通信システムの１つまたは複数の通信リンクを介して様々なタイプのデータおよび／または制御信号（すなわち、送信）を受信するために使用され得る。通信リンク１２５は、無競合ベース無線周波数スペクトルおよび／または競合ベース無線周波数スペクトルを介して確立され得る。
【００８６】
[0095]いくつかの例では、送信機モジュール１１３０は、無競合ベース無線周波数スペクトルおよび／または競合ベース無線周波数スペクトルを介して送信するように動作可能な少なくとも１つのＲＦ送信機など、少なくとも１つのＲＦ送信機を含み得る。いくつかの例では、無競合ベース無線周波数スペクトルと競合ベース無線周波数スペクトルの両方は、たとえば、図２および／または図３を参照しながら説明したように、ＬＴＥ／ＬＴＥ−Ａ通信のために使用され得る。送信機モジュール１１３０は、場合によっては、無競合ベース無線周波数スペクトルと競合ベース無線周波数スペクトルとのために別個の送信機を含み得る。これらの別個の送信機は、いくつかの例では、無競合ベース無線周波数スペクトルを介して通信するための認可スペクトルＬＴＥ／ＬＴＥ−Ａ送信機モジュール１１３２と、競合ベース無線周波数スペクトルを介して通信するための認可不要スペクトルＬＴＥ／ＬＴＥ−Ａ送信機モジュール１１３４との形態をとり得る。認可スペクトルＬＴＥ／ＬＴＥ−Ａ送信機モジュール１１３２および／または認可不要スペクトルＬＴＥ／ＬＴＥ−Ａ送信機モジュール１１３４を含む、送信機モジュール１１３０は、図１、図２、および／または図３を参照しながら説明したワイヤレス通信システム１００、２００、および／または３００の１つまたは複数の通信リンク１２５など、ワイヤレス通信システムの１つまたは複数の通信リンクを介して様々なタイプのデータおよび／または制御信号（すなわち、送信）を送信するために使用され得る。通信リンク１２５は、無競合ベース無線周波数スペクトルおよび／または競合ベース無線周波数スペクトルを介して確立され得る。
【００８７】
[0096]いくつかの例では、ワイヤレス通信管理モジュール１１２０は、図１０を参照しながら説明したワイヤレス通信管理モジュール１０２０の１つまたは複数の態様の一例であり得る。ワイヤレス通信管理モジュール１１２０は、リソース競合識別モジュール１１３５、スペクトル利用決定モジュール１１４０、および／または情報優先度付けモジュール１１４５を含み得る。これらの構成要素の各々は互いに通信していることがある。
【００８８】
[0097]リソース競合識別モジュール１１３５は、アップリンクサブフレームにおけるリソースの競合を識別するために使用され得る。競合は、少なくとも、第１のセルについての第１のアップリンク制御情報を報告することと、第２のセルについての第２のアップリンク制御情報を報告することとの間の競合を含み得る。
【００８９】
[0098]スペクトル利用決定モジュール１１４０は、１つまたは複数のセルが無競合ベース無線周波数スペクトルを利用するか競合ベース無線周波数スペクトルを利用するかを決定するために使用され得る。たとえば、スペクトル利用決定モジュール１１４０は、第１のセルが無競合ベース無線周波数スペクトルを利用するセルであるか競合ベース無線周波数スペクトルを利用するセルであるかを決定するために使用され得る。スペクトル利用決定モジュール１１４０はまた、第２のセルが無競合ベース無線周波数スペクトルを利用するセルであるか競合ベース無線周波数スペクトルを利用するセルであるかを決定するために使用され得る。
【００９０】
[0099]情報優先度付けモジュール１１４５は、第２のセルによる競合ベース無線周波数スペクトルの利用に少なくとも部分的に基づいて、アップリンクサブフレームにおけるリソースの競合において第２のセルについての第２のアップリンク制御情報の報告に優先度を付けるために使用され得る。
【００９１】
[0100]いくつかの例では、第１のセルと第２のセルは、キャリアアグリゲーションおよび／またはデュアル接続性（たとえば、マルチフロー）通信モードにおいて見つけられ得るように、異なるキャリア周波数であり得る。方法１６００の他の例では、第１のセルと第２のセルは、ＣｏＭＰ通信モードにおいて見つけられ得るように、同じキャリア周波数であり得る。
【００９２】
[0101]いくつかの例では、第１のアップリンク制御情報および／または第２のアップリンク制御情報は、チャネル状態情報（ＣＳＩ）、サウンディング基準信号（ＳＲＳ）、および／または（たとえば、マルチフロー動作下の）スケジューリング要求（ＳＲ）制御情報を含み得る。アップリンク制御情報がＣＳＩを含むとき、ＣＳＩは、たとえば、ランクインジケータ（ＲＩ）、プリコーディングタイプインジケータ（ＰＴＩ）、広帯域プリコーディング行列インジケータ（ＰＭＩ）、広帯域チャネル品質インジケータ（ＣＱＩ）、ＰＭＩをもつ広帯域ＣＱＩ、サブバンドＣＱＩ、またはＰＭＩをもつサブバンドＣＱＩのうちの少なくとも１つを含み得る。いくつかの例では、情報優先度付けモジュール１１４５によって実施される優先度付けは、アップリンク制御情報の１つまたは複数のタイプ（たとえば、ランクインジケータ（ＲＩ）、プリコーディングタイプインジケータ（ＰＴＩ）、または広帯域プリコーディング行列インジケータ（ＰＭＩ）（たとえば、３、５、６、２ａの報告タイプ）などの最高優先度タイプ）について実施され得る。別の例では、アップリンク制御情報の１つまたは複数のタイプは、情報優先度付けモジュール１１４５によってプライオリタイジされ（prioritizied）ないことがあり、アップリンク制御情報の１つまたは複数のタイプの優先度は、アップリンク制御情報の１つまたは複数のタイプを報告している各セルのサービングセルインデックスに少なくとも部分的に基づいて決定され得る（たとえば、より低いサービングセルインデックスはより高い優先度を割り当てられ得る）。
【００９３】
[0102]いくつかの例では、スペクトル利用決定モジュール１１４０は、第１のセルが、無競合ベース無線周波数スペクトルを利用するセルであり、第２のセルが、競合ベース無線周波数スペクトルを利用するセルであると決定し得る。これらの例では、第１のアップリンク制御情報および第２のアップリンク制御情報がＣＳＩをそれぞれ含むとき、情報優先度付けモジュール１１４５は、第１のセルについてのＣＳＩの第１の報告タイプが、第２のセルについてのＣＳＩの第２の報告タイプに対して同じ優先度レベルまたはより高い優先度レベルを有するにもかかわらず、第２のアップリンク制御情報の報告よりも第２のアップリンク制御情報の報告に優先度を付け得る。
【００９４】
[0103]いくつかの例では、第１のセルは、無競合ベース無線周波数スペクトルにおいて動作している第１の複数のセルのうちの１つであり得、および／または第２のセルは、競合ベース無線周波数スペクトルにおいて動作している第２の複数のセルのうちの１つであり得る。これらの例では、情報優先度付けモジュール１１４５は、場合によっては、第２のセル（または第２の複数のセル）についてのアップリンク制御情報の報告が、第１のセル（または第１の複数のセル）についてのアップリンク制御情報の報告に勝る優先度を与えられるように、アップリンク制御情報の報告に優先度を付け得る。他の場合には、情報優先度付けモジュール１１４５は、第２のセル（または第２の複数のセルの各セル）を、１）競合ベース無線周波数スペクトルへの競合が成功したセル（たとえば、測定されるべきＲＳを含んでいる有効な測定サブフレームが送信されていることがあり、アップリンク制御情報を生成するための有効な１つまたは複数の測定値が取得されていることがあるセル）、あるいは２）競合ベース無線周波数スペクトルへの競合が失敗したセル（たとえば、測定されるべきＲＳを含んでいる有効な測定サブフレームが送信されていないであろうし、またアップリンク制御情報を生成するための有効な１つまたは複数の測定値が取得されていないであろうセル）として分類し得る。これらの後者の例では、情報優先度付けモジュール１１４５は、第１のセル（または第１の複数のセル）についてのアップリンク制御情報の報告よりも、測定サブフレーム（たとえば、ダウンリンクサブフレーム）を送信するための競合ベース無線周波数スペクトルへの競合が成功した何らかのセルについてのアップリンク制御情報の報告に優先度を付け、測定サブフレーム（たとえば、ダウンリンクサブフレーム）を送信するための競合ベース無線周波数スペクトルへの競合が失敗した何らかのセルについてのアップリンク制御情報の報告よりも、第１のセル（または第１の複数のセル）についてのアップリンク制御情報の報告に優先度を付け得る。
【００９５】
[0104]いくつかの例では、ワイヤレス通信管理モジュール１１２０は、アップリンク制御情報の報告にセルインデックスを含め得る。たとえば、ワイヤレス通信管理モジュール１１２０は、第２のアップリンク制御情報の報告に、第２のセルを識別する第２のセルインデックスを含め得る。含められたセルインデックスは、アップリンク制御情報がそれに関係するセルを決定するために基地局によって使用され得る。たとえば、セルインデックスは、装置１１１５と基地局とが整合されたとき、アップリンク制御情報がそれに関係するセルを決定するために基地局によって使用され得る。装置１１１５と基地局との整合は、競合ベース無線周波数スペクトルを使用しているセルが、競合ベース無線周波数スペクトルのアクセスを求めて競合することに成功するかどうかを決定するときに重要であり得る。競合ベース無線周波数スペクトルを使用しているセルが競合ベース無線周波数スペクトルのアクセスを求めて競合することに成功するかどうかの決定は、シグナリングおよび／または基準シグナリング（ＣＵＢＳ５４５および／またはＣＣＡ免除送信（ＣＥＴ：CCA exempt transmission）シグナリング）に少なくとも部分的に基づき得る。装置１１１５と基地局とが整合されたとき、シグナリングおよび／または基準シグナリングを検出する確率は信頼できる（たとえば、確率しきい値を上回る）ことがある。しかしながら、装置１１１５と基地局とが整合されないとき、シグナリングおよび／または基準シグナリングを検出する確率は信頼できない（たとえば、確率しきい値を下回る）ことがある。装置１１１５と基地局とが整合されないとき、基地局は、アップリンク制御情報がそれに関係するセルを決定するためにブラインド検出を使用し得る。一例では、最大ペイロードがセルごとに仮定され得、どのセルが報告されているかを示すためにＣＳＩ報告中にセルインデックスが含められ得るが、これはアップリンクオーバーヘッドを増加させ得る。
【００９６】
[0105]図１２は、本開示の様々な態様による、ワイヤレス通信において使用するための装置１２１５のブロック図１２００を示す。いくつかの例では、装置１２１５は、図１、図２、および／または図３を参照しながら説明したＵＥ１１５、２１５、および／または３１５のうちの１つまたは複数の態様、ならびに／あるいは図１０および／または図１１を参照しながら説明した装置１０１５および／または１１１５のうちの１つまたは複数の態様の一例であり得る。装置１２１５はプロセッサでもあり得る。装置１２１５は、受信機モジュール１２１０、ワイヤレス通信管理モジュール１２２０、および／または送信機モジュール１２３０を含み得る。これらの構成要素の各々は互いに通信していることがある。
【００９７】
[0106]装置１２１５の構成要素は、ハードウェアにおいて適用可能な機能の一部または全部を実装するように適応された１つまたは複数のＡＳＩＣを使用して、個々にまたは集合的に実装され得る。代替的に、機能は、１つまたは複数の他の処理ユニット（またはコア）によって、１つまたは複数の集積回路上で実施され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリに組み込まれた命令を用いて実装され得る。
【００９８】
[0107]いくつかの例では、受信機モジュール１２１０は、無競合ベース無線周波数スペクトル（たとえば、無線周波数スペクトルが特定の使用のために特定のユーザに認可されているので、装置がそれへのアクセスを求めて競合しない無線周波数スペクトル）、および／または競合ベース無線周波数スペクトル（たとえば、無線周波数スペクトルが認可不要の使用に開かれているので、装置がそれへのアクセスを求めて競合する無線周波数スペクトル）を介して送信を受信するように動作可能な少なくとも１つのＲＦ受信機など、少なくとも１つのＲＦ受信機を含み得る。いくつかの例では、無競合ベース無線周波数スペクトルと競合ベース無線周波数スペクトルの両方は、たとえば、図２および／または図３を参照しながら説明したように、ＬＴＥ／ＬＴＥ−Ａ通信のために使用され得る。受信機モジュール１２１０は、場合によっては、無競合ベース無線周波数スペクトルと競合ベース無線周波数スペクトルとのために別個の受信機を含み得る。これらの別個の受信機は、いくつかの例では、無競合ベース無線周波数スペクトルを介して通信するための認可スペクトルＬＴＥ／ＬＴＥ−Ａ受信機モジュール１２１２と、競合ベース無線周波数スペクトルを介して通信するための認可不要スペクトルＬＴＥ／ＬＴＥ−Ａ受信機モジュール１２１４との形態をとり得る。認可スペクトルＬＴＥ／ＬＴＥ−Ａ受信機モジュール１２１２および／または認可不要スペクトルＬＴＥ／ＬＴＥ−Ａ受信機モジュール１２１４を含む、受信機モジュール１２１０は、図１、図２、および／または図３を参照しながら説明したワイヤレス通信システム１００、２００、および／または３００の１つまたは複数の通信リンク１２５など、ワイヤレス通信システムの１つまたは複数の通信リンクを介して様々なタイプのデータおよび／または制御信号（すなわち、送信）を受信するために使用され得る。通信リンク１２５は、無競合ベース無線周波数スペクトルおよび／または競合ベース無線周波数スペクトルを介して確立され得る。
【００９９】
[0108]いくつかの例では、送信機モジュール１２３０は、無競合ベース無線周波数スペクトルおよび／または競合ベース無線周波数スペクトルを介して送信するように動作可能な少なくとも１つのＲＦ送信機など、少なくとも１つのＲＦ送信機を含み得る。いくつかの例では、無競合ベース無線周波数スペクトルと競合ベース無線周波数スペクトルの両方は、たとえば、図２および／または図３を参照しながら説明したように、ＬＴＥ／ＬＴＥ−Ａ通信のために使用され得る。送信機モジュール１２３０は、場合によっては、無競合ベース無線周波数スペクトルと競合ベース無線周波数スペクトルとのために別個の送信機を含み得る。これらの別個の送信機は、いくつかの例では、無競合ベース無線周波数スペクトルを介して通信するための認可スペクトルＬＴＥ／ＬＴＥ−Ａ送信機モジュール１２３２と、競合ベース無線周波数スペクトルを介して通信するための認可不要スペクトルＬＴＥ／ＬＴＥ−Ａ送信機モジュール１２３４との形態をとり得る。認可スペクトルＬＴＥ／ＬＴＥ−Ａ送信機モジュール１２３２および／または認可不要スペクトルＬＴＥ／ＬＴＥ−Ａ送信機モジュール１２３４を含む、送信機モジュール１２３０は、図１、図２、および／または図３を参照しながら説明したワイヤレス通信システム１００、２００、および／または３００の１つまたは複数の通信リンク１２５など、ワイヤレス通信システムの１つまたは複数の通信リンクを介して様々なタイプのデータおよび／または制御信号（すなわち、送信）を送信するために使用され得る。通信リンク１２５は、無競合ベース無線周波数スペクトルおよび／または競合ベース無線周波数スペクトルを介して確立され得る。
【０１００】
[0109]いくつかの例では、ワイヤレス通信管理モジュール１２２０は、図１０および／または図１１を参照しながら説明したワイヤレス通信管理モジュール１０２０および／または１１２０の１つまたは複数の態様の一例であり得る。ワイヤレス通信管理モジュール１２２０は、リソース競合識別モジュール１２３５、スペクトル利用決定モジュール１２４０、ＣＳＩ報告タイプ決定モジュール１２４５、情報優先度付けモジュール１２５０、および／またはサービングセルインデックス決定モジュール１２５５を含み得る。これらの構成要素の各々は互いに通信していることがある。
【０１０１】
[0110]リソース競合識別モジュール１２３５は、アップリンクサブフレームにおけるリソースの競合を識別するために使用され得る。競合は、少なくとも、第１のセルについての第１のアップリンク制御情報を報告することと、第２のセルについての第２のアップリンク制御情報を報告することとの間の競合を含み得る。
【０１０２】
[0111]スペクトル利用決定モジュール１２４０は、１つまたは複数のセルが無競合ベース無線周波数スペクトルを利用するか競合ベース無線周波数スペクトルを利用するかを決定するために使用され得る。たとえば、スペクトル利用決定モジュール１２４０は、第１のセルが無競合ベース無線周波数スペクトルを利用するセルであるか競合ベース無線周波数スペクトルを利用するセルであるかを決定し得る。スペクトル利用決定モジュール１２４０はまた、第２のセルが無競合ベース無線周波数スペクトルを利用するセルであるか競合ベース無線周波数スペクトルを利用するセルであるかを決定するために使用され得る。
【０１０３】
[0112]ＣＳＩ報告タイプ決定モジュール１２４５は、第１のセルについてのＣＳＩの第１の報告タイプの第１の優先度レベルを決定し、第２のセルについてのＣＳＩの第２の報告タイプの第２の優先度レベルを決定し、第２のセルについてのＣＳＩの第２の報告タイプの優先度レベルに対する第１のセルについてのＣＳＩの第１の報告タイプの優先度レベルを決定し得る。
【０１０４】
[0113]いくつかの例では、第１のセルについてのＣＳＩの第１の報告タイプの第１の優先度レベルおよび／または第２のセルについてのＣＳＩの第２の報告タイプの第２の優先度レベルは、ＣＳＩの報告タイプがランクインジケータ（ＲＩ）、プリコーディングタイプインジケータ（ＰＴＩ）、または広帯域プリコーディング行列インジケータ（ＰＭＩ）（たとえば、３、５、６、または２ａの報告タイプ）のうちの少なくとも１つを含むときの最高優先度レベル、ＣＳＩの報告タイプが広帯域チャネル品質指示（ＣＱＩ）、またはＰＭＩをもつ広帯域ＣＱＩ（たとえば、２、２ｂ、２ｃ、または４の報告タイプ）のうちの少なくとも１つを含むときの中間優先度レベル、ならびに／あるいはＣＳＩの報告タイプがサブバンドＣＱＩ、またはＰＭＩをもつサブバンドＣＱＩ（たとえば、１、１ａの報告タイプ）のうちの少なくとも１つを含むときの低優先度レベルであると決定され得る。
【０１０５】
[0114]情報優先度付けモジュール１２５０は、アップリンクサブフレームにおけるリソースの競合において第２のセルについての第２のアップリンク制御情報の報告に優先度を付けるために使用され得る。ＣＳＩの第１の報告タイプの第１の優先度レベルがＣＳＩの第１の報告タイプの第２の優先度レベルとは異なるとき、情報優先度付けモジュール１２５０は、第２のセルによる競合ベース無線周波数スペクトルの利用に少なくとも部分的に基づいて、および第２のセルについてのＣＳＩの第２の報告タイプの第２の優先度レベルに対する第１のセルについてのＣＳＩの第１の報告タイプの第１の優先度レベルに少なくとも部分的に基づいて、アップリンクサブフレームにおけるリソースの競合において第２のセルについての第２のアップリンク制御情報の報告に優先度を付け得る。いくつかの例では、第１のセルと第２のセルとの各々は競合ベース無線周波数スペクトルを利用するセルであると決定され得、第１のセルについての第１のアップリンク制御情報の報告と、第２のセルについての第２のアップリンク制御情報の報告とは、無競合ベース無線周波数スペクトルを利用する第３のセルについての第３のアップリンク制御情報の報告よりも優先度を付けられ得る。第１のセルについての第１のアップリンク制御情報と、第２のセルについての第２のアップリンク制御情報との報告は、次いで、第２のセルについてのＣＳＩの第２の報告タイプの第２の優先度レベルに対する第１のセルについてのＣＳＩの第１の報告タイプの第１の優先度レベルに少なくとも部分的に基づいて、互いに対して優先度を付けられ得る。
【０１０６】
[0115]第１のセルと第２のセルとの各々が競合ベース無線周波数スペクトルを利用するセルであると決定されたとき、およびＣＳＩの第１の報告タイプの第１の優先度レベルとＣＳＩの第２の報告タイプの第２の優先度レベルが同じ優先度レベルであるとき、サービングセルインデックス決定モジュール１２５５は、第１のセルの第１のサービングセルインデックスと、第２のセルの第２のサービングセルインデックスとを決定し得る。情報優先度付けモジュール１２５０は、次いで、第２のセルによる競合ベース無線周波数スペクトルの利用に少なくとも部分的に基づいて、および第１のサービングセルインデックスと第２のサービングセルインデックスとに少なくとも部分的に基づいて、アップリンクサブフレームにおけるリソースの競合においてアップリンク制御情報の報告に優先度を付け得る。いくつかの例では、第１のセルについての第１のアップリンク制御情報の報告と、第２のセルについての第２のアップリンク制御情報の報告とは、無競合ベース無線周波数スペクトルを利用する第３のセルについての第３のアップリンク制御情報の報告よりも優先度を付けられ得る。第１のセルについての第１のアップリンク制御情報と、第２のセルについての第２のアップリンク制御情報との報告は、次いで、第１のセルインデックスと第２のセルインデックスとに基づいて互いに対して優先度を付けられ得る。たとえば、第２のセルインデックスが第１のサービングセルインデックスよりも低いとき、第２のセルについての第２のアップリンク制御情報の報告は、第１のセルについての第１のアップリンク制御情報の報告よりも優先度を付けられ得る。第２のセルインデックスが第１のサービングセルインデックスよりも高いとき、第１のセルについての第１のアップリンク制御情報の報告は、第２のセルについての第２のアップリンク制御情報の報告よりも優先度を付けられ得る。
【０１０７】
[0116]いくつかの例では、第１のセルと第２のセルは、キャリアアグリゲーションおよび／またはデュアル接続性（たとえば、マルチフロー）通信モードにおいて見つけられ得るように、異なるキャリア周波数であり得る。他の例では、第１のセルと第２のセルは、ＣｏＭＰ通信モードにおいて見つけられ得るように、同じキャリア周波数であり得る。
【０１０８】
[0117]いくつかの例では、ワイヤレス通信管理モジュール１２２０は、アップリンク制御情報の報告にセルインデックスを含め得る。たとえば、ワイヤレス通信管理モジュール１２２０は、第２のアップリンク制御情報の報告に、第２のセルを識別する第２のセルインデックスを含め得る。含められたセルインデックスは、アップリンク制御情報がそれに関係するセルを決定するために基地局によって使用され得る。代替的に、基地局は、アップリンク制御情報がそれに関係するセルを決定するためにブラインド検出を使用し得る。一例では、最大ペイロードがセルごとに仮定され得、どのセルが報告されているかを示すためにＣＳＩ報告中にセルインデックスが含められ得るが、これはアップリンクオーバーヘッドを増加させ得る。
【０１０９】
[0118]図１３は、本開示の様々な態様による、ワイヤレス通信において使用するための装置１３１５のブロック図１３００を示す。いくつかの例では、装置１３１５は、図１、図２、および／または図３を参照しながら説明したＵＥ１１５、２１５、および／または３１５のうちの１つまたは複数の態様、ならびに／あるいは図１０、図１１、および／または図１２を参照しながら説明した装置１０１５、１１１５、および／または１２１５のうちの１つまたは複数の態様の一例であり得る。装置１３１５はプロセッサでもあり得る。装置１３１５は、受信機モジュール１３１０、ワイヤレス通信管理モジュール１３２０、および／または送信機モジュール１３３０を含み得る。これらの構成要素の各々は互いに通信していることがある。
【０１１０】
[0119]装置１３１５の構成要素は、ハードウェアにおいて適用可能な機能の一部または全部を実装するように適応された１つまたは複数のＡＳＩＣを使用して、個々にまたは集合的に実装され得る。代替的に、機能は、１つまたは複数の他の処理ユニット（またはコア）によって、１つまたは複数の集積回路上で実施され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリに組み込まれた命令を用いて実装され得る。
【０１１１】
[0120]いくつかの例では、受信機モジュール１３１０は、無競合ベース無線周波数スペクトル（たとえば、無線周波数スペクトルが特定の使用のために特定のユーザに認可されているので、装置がそれへのアクセスを求めて競合しない無線周波数スペクトル）、および／または競合ベース無線周波数スペクトル（たとえば、無線周波数スペクトルが認可不要の使用に開かれているので、装置がそれへのアクセスを求めて競合する無線周波数スペクトル）を介して送信を受信するように動作可能な少なくとも１つのＲＦ受信機など、少なくとも１つのＲＦ受信機を含み得る。いくつかの例では、無競合ベース無線周波数スペクトルと競合ベース無線周波数スペクトルの両方は、たとえば、図２および／または図３を参照しながら説明したように、ＬＴＥ／ＬＴＥ−Ａ通信のために使用され得る。受信機モジュール１３１０は、場合によっては、無競合ベース無線周波数スペクトルと競合ベース無線周波数スペクトルとのために別個の受信機を含み得る。これらの別個の受信機は、いくつかの例では、無競合ベース無線周波数スペクトルを介して通信するための認可スペクトルＬＴＥ／ＬＴＥ−Ａ受信機モジュール１３１２と、競合ベース無線周波数スペクトルを介して通信するための認可不要スペクトルＬＴＥ／ＬＴＥ−Ａ受信機モジュール１３１４との形態をとり得る。認可スペクトルＬＴＥ／ＬＴＥ−Ａ受信機モジュール１３１２および／または認可不要スペクトルＬＴＥ／ＬＴＥ−Ａ受信機モジュール１３１４を含む、受信機モジュール１３１０は、図１、図２、および／または図３を参照しながら説明したワイヤレス通信システム１００、２００、および／または３００の１つまたは複数の通信リンク１２５など、ワイヤレス通信システムの１つまたは複数の通信リンクを介して様々なタイプのデータおよび／または制御信号（すなわち、送信）を受信するために使用され得る。通信リンク１２５は、無競合ベース無線周波数スペクトルおよび／または競合ベース無線周波数スペクトルを介して確立され得る。
【０１１２】
[0121]いくつかの例では、送信機モジュール１３３０は、無競合ベース無線周波数スペクトルおよび／または競合ベース無線周波数スペクトルを介して送信するように動作可能な少なくとも１つのＲＦ送信機など、少なくとも１つのＲＦ送信機を含み得る。いくつかの例では、無競合ベース無線周波数スペクトルと競合ベース無線周波数スペクトルの両方は、たとえば、図２および／または図３を参照しながら説明したように、ＬＴＥ／ＬＴＥ−Ａ通信のために使用され得る。送信機モジュール１３３０は、場合によっては、無競合ベース無線周波数スペクトルと競合ベース無線周波数スペクトルとのために別個の送信機を含み得る。これらの別個の送信機は、いくつかの例では、無競合ベース無線周波数スペクトルを介して通信するための認可スペクトルＬＴＥ／ＬＴＥ−Ａ送信機モジュール１３３２と、競合ベース無線周波数スペクトルを介して通信するための認可不要スペクトルＬＴＥ／ＬＴＥ−Ａ送信機モジュール１３３４との形態をとり得る。認可スペクトルＬＴＥ／ＬＴＥ−Ａ送信機モジュール１３３２および／または認可不要スペクトルＬＴＥ／ＬＴＥ−Ａ送信機モジュール１３３４を含む、送信機モジュール１３３０は、図１、図２、および／または図３を参照しながら説明したワイヤレス通信システム１００、２００、および／または３００の１つまたは複数の通信リンク１２５など、ワイヤレス通信システムの１つまたは複数の通信リンクを介して様々なタイプのデータおよび／または制御信号（すなわち、送信）を送信するために使用され得る。通信リンク１２５は、無競合ベース無線周波数スペクトルおよび／または競合ベース無線周波数スペクトルを介して確立され得る。
【０１１３】
[0122]いくつかの例では、ワイヤレス通信管理モジュール１３２０は、図１０、図１１、および／または図１２を参照しながら説明したワイヤレス通信管理モジュール１０２０、１１２０、および／または１２２０の１つまたは複数の態様の一例であり得る。ワイヤレス通信管理モジュール１３２０は、リソース競合識別モジュール１３３５、スペクトル利用決定モジュール１３４０、競合成功決定モジュール１３４５、情報優先度付けモジュール１３５０、および／または履歴的アップリンク制御情報モジュール１３５５を含み得る。これらの構成要素の各々は互いに通信していることがある。
【０１１４】
[0123]リソース競合識別モジュール１３３５は、アップリンクサブフレームにおけるリソースの競合を識別するために使用され得る。競合は、少なくとも、第１のセルについての第１のアップリンク制御情報を報告することと、第２のセルについての第２のアップリンク制御情報を報告することとの間の競合を含み得る。
【０１１５】
[0124]スペクトル利用決定モジュール１３４０は、第１のセルが無競合ベース無線周波数スペクトルを利用するセルであるか競合ベース無線周波数スペクトルを利用するセルであるかを決定するために使用され得る。スペクトル利用決定モジュール１３４０はまた、第２のセルが無競合ベース無線周波数スペクトルを利用するセルであるか競合ベース無線周波数スペクトルを利用するセルであるかを決定するために使用され得る。
【０１１６】
[0125]競合成功決定モジュール１３４５は、競合ベース無線周波数スペクトルを利用するセルのダウンリンクサブフレームを識別し得、このダウンリンクサブフレームは、アップリンクサブフレームについてのアップリンク制御情報を生成するための測定値を取得するために使用され得、競合成功決定モジュール１３４５は、このダウンリンクサブフレームを送信するための競合ベース無線周波数スペクトルを求める競合が成功したか失敗したかを決定し得る。決定は、場合によっては、基地局から受信されたシグナリングに基づいて行われ得、このシグナリングは、セルによってダウンリンクサブフレームを送信するための競合ベース無線周波数スペクトルを求める競合の成功または失敗を示す。決定は、他の場合には、セルによって送信される基準信号（たとえば、図５Ａを参照しながら説明したＣＵＢＳ５４５ならびに／あるいは１つまたは複数の他のシグナリング）の存在に基づいて行われ得、この基準信号は、セルによるダウンリンク送信のための競合ベース無線周波数スペクトルを求める競合の成功または失敗を示す。たとえば、基準信号が存在すると検出されたとき、ダウンリンクサブフレームを送信するための競合ベース無線周波数スペクトルを求める競合は成功したと決定され得る。対照的に、基準信号が存在すると検出されないとき、ダウンリンクサブフレームを送信するための競合ベース無線周波数スペクトルを求める競合は失敗したと決定され得る。基地局のシグナリングおよび／または基準信号送信は、アップリンク制御情報の報告がどのセルに対応するのかに関して基地局と装置１３１５とを整合させるのを助ける。整合はまた、アップリンク制御情報がそれに対応するセルについての基地局によるブラインド検出に基づき、および／または基地局による競合成功ステータス情報のシグナリングに基づき得る。
【０１１７】
[0126]情報優先度付けモジュール１３５０は、アップリンクサブフレームにおけるリソースの競合において第２のセルについての第２のアップリンク制御情報の報告に優先度を付けるために使用され得る。アップリンク制御情報（たとえば、ＣＳＩフィードバックインスタンス）の報告が、有効な測定サブフレーム（たとえば、競合成功決定モジュール１３４５によって識別されるダウンリンクサブフレーム）の下にあるかどうかを決定することによって、アップリンク制御情報の報告に優先度を付けるためのより高度なルールが開発され得る。たとえば、第２のセルのダウンリンクサブフレームを送信するための競合ベース無線周波数スペクトルを求める競合が成功した（したがって、測定されるべきＲＳを含んでいる有効な測定サブフレームが送信されていることがあり、アップリンク制御情報を生成するための有効な１つまたは複数の測定値が取得されていることがある）と決定されたとき、情報優先度付けモジュール１３５０は、第２のセルによる競合ベース無線周波数スペクトルの利用に少なくとも部分的に基づいて、アップリンクサブフレームにおけるリソースの競合において第２のセルについての第２のアップリンク制御情報の報告に優先度を付け得る。第２のセルによる競合ベース無線周波数スペクトルの利用は、競合ベース無線周波数スペクトルを求める競合の成功を含み得る。たとえば、第１のセルが無競合ベース無線周波数スペクトルを利用するセルであると決定され、第２のセルが競合ベース無線周波数スペクトルを利用するセルであると決定されたとき、第２のセルについての第２のアップリンク制御情報の報告は、第１のセルについての第１のアップリンク制御情報の報告よりも高い優先度を与えられ得る。第１のセルおよび第２のセルがそれぞれ、競合ベース無線周波数スペクトルを利用するセルであると決定されたとき、第２のセルについての第２のアップリンク制御情報の報告は、競合ベース無線周波数スペクトルを求めて競合しダウンリンクサブフレームを送信するための第１のセルの成功もしくは失敗に基づいて（および／または第２のセルについてのＣＳＩの第２の報告タイプの第２の優先度レベルに対する第１のセルについてのＣＳＩの第１の報告タイプの第１の優先度レベルに基づいて、および／または第１のセルの第１のサービングセルと第２のセルの第２のサービングセルインデックスとの比較に基づいて）、無競合ベース無線周波数スペクトルを利用する第３のセルについての第３のアップリンク制御情報の報告よりも高い優先度を与えられ得、第１のセルについての第１のアップリンク制御情報の報告に関して優先度を与えられ得る。
【０１１８】
[0127]第２のセルのダウンリンクサブフレームを送信するための競合ベース無線周波数スペクトルを求める競合が失敗した（したがって、測定されるべきＲＳを含んでいる有効な測定サブフレームが送信されていないであろうし、またアップリンク制御情報を生成するための有効な１つまたは複数の測定値が取得されていないであろう）と決定されたとき、情報優先度付けモジュール１３５０は、第２のセルによる競合ベース無線周波数スペクトルの利用に少なくとも部分的に基づいて、アップリンクサブフレームにおけるリソースの競合において第２のセルについての第２のアップリンク制御情報の報告に優先度を付け得る。第２のセルによる競合ベース無線周波数スペクトルの利用は、競合ベース無線周波数スペクトルを求める競合の失敗を含み得る。場合によっては、優先度付けは、無競合ベース無線周波数スペクトルを利用する１つまたは複数のセルについてのアップリンク制御情報の報告よりも、第２のセル優先度についての第２のアップリンク制御情報の報告を与えることを含み得る。他の場合には、優先度付けは、第２のセルについての第２のアップリンク制御情報の報告の優先度を低下させることを含み得る。第２のセルについての第２のアップリンク制御情報の報告の優先度は、第２のセルについての第２のアップリンク制御情報を報告する優先度が、無競合ベーススペクトルを利用する１つまたは複数のセルについてのアップリンク制御情報を報告する優先度よりも低くなり、および／または競合ベーススペクトルを利用し第２のセルよりも高いサービングセルインデックスを有する１つまたは複数のセルについてのアップリンク制御情報を報告する優先度よりも低くなるように、場合によっては低下され得る。他の場合には、第２のセルについての第２のアップリンク制御情報は報告されないことがあり、第２のセルについての第２のアップリンク制御情報の報告は、他のアップリンク制御情報を報告する優先度付けから省略され得る。他の場合には、履歴的アップリンク制御情報モジュール１３５５が、第２のセルについての履歴的第２のアップリンク制御情報にアクセスするために使用され得る。第２のセルについての履歴的第２のアップリンク制御情報は、第２のセルのための前のダウンリンクサブフレーム（たとえば、前の有効なダウンリンクサブフレーム）の受信中に取得された測定値に基づき得る。これらの場合、情報優先度付けモジュール１３５０によって行われる優先度付けは、上記の段落で説明した優先度付けと同様であり得、第２のセルについての第２のアップリンク制御情報の優先度付けは、第２のセルについての履歴的第２のアップリンク制御情報の優先度付けを含む。代替的に、第２のセルについての履歴的第２のアップリンク制御情報の報告は、第１のセルについてのアップリンク制御情報の報告よりも低い優先度を与えられ得る。
【０１１９】
[0128]いくつかの例では、第１のセルと第２のセルは、キャリアアグリゲーションおよび／またはデュアル接続性（たとえば、マルチフロー）通信モードにおいて見つけられ得るように、異なるキャリア周波数であり得る。他の例では、第１のセルと第２のセルは、ＣｏＭＰ通信モードにおいて見つけられ得るように、同じキャリア周波数であり得る。
【０１２０】
[0129]いくつかの例では、第１のアップリンク制御情報および／または第２のアップリンク制御情報は、ＣＳＩ、ＳＲＳ、および／または（たとえば、マルチフロー動作下の）ＳＲ制御情報を含み得る。アップリンク制御情報がＣＳＩを含むとき、ＣＳＩは、たとえば、ＲＩ、ＰＴＩ、広帯域ＰＭＩ、広帯域ＣＱＩ、ＰＭＩをもつ広帯域ＣＱＩ、サブバンドＣＱＩ、またはＰＭＩをもつサブバンドＣＱＩのうちの少なくとも１つを含み得る。。いくつかの例では、情報優先度付けモジュール１３５０によって実施される優先度付けは、アップリンク制御情報の１つまたは複数のタイプ（たとえば、ランクインジケータ（ＲＩ）、プリコーディングタイプインジケータ（ＰＴＩ）、または広帯域プリコーディング行列インジケータ（ＰＭＩ）（たとえば、３、５、６、２ａの報告タイプ）などの最高優先度タイプ）について実施され得る。別の例では、アップリンク制御情報の１つまたは複数のタイプは、情報優先度付けモジュール１３５０によってプライオリタイジされ（prioritizied）ないことがあり、アップリンク制御情報の１つまたは複数のタイプの優先度は、アップリンク制御情報の１つまたは複数のタイプを報告している各セルのサービングセルインデックスに少なくとも部分的に基づいて決定され得る（たとえば、より低いサービングセルインデックスはより高い優先度を割り当てられ得る）。
【０１２１】
[0130]いくつかの例では、ワイヤレス通信管理モジュール１３２０は、アップリンク制御情報の報告にセルインデックスを含め得る。たとえば、ワイヤレス通信管理モジュール１３２０は、第２のアップリンク制御情報の報告に、第２のセルを識別する第２のセルインデックスを含め得る。含められたセルインデックスは、アップリンク制御情報がそれに関係するセルを決定するために基地局によって使用され得る。代替的に、基地局は、アップリンク制御情報がそれに関係するセルを決定するためにブラインド検出を使用し得る。一例では、最大ペイロードがセルごとに仮定され得、どのセルが報告されているかを示すためにＣＳＩ報告中にセルインデックスが含められ得るが、これはアップリンクオーバーヘッドを増加させ得る。
【０１２２】
[0131]図１４は、本開示の様々な態様による、ワイヤレス通信において使用するためのＵＥ１４１５のブロック図１４００を示す。ＵＥ１４１５は、様々な構成を有し得、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット機器、ゲームコンソール、電子リーダーなどに含まれるか、またはその一部であり得る。ＵＥ１４１５は、いくつかの例では、モバイル動作を可能にするために、小型バッテリーなどの内部電源（図示せず）を有し得る。いくつかの例では、ＵＥ１４１５は、図１、図２、および／または図３を参照しながら説明したＵＥ１１５、２１５、および／または３１５のうちの１つ、ならびに／あるいは図１０、図１１、図１２、および／または図１３を参照しながら説明した装置１０１５、１１１５、１２１５、および／または１３１５のうちの１つの１つまたは複数の態様の一例であり得る。ＵＥ１４１５は、図１、図２、図３、図４、図５Ａ、図５Ｂ、図６、図７、図８、図９、図１０、図１１、図１２、および／または図１３を参照しながら説明した特徴および機能の少なくともいくつかを実装するように構成され得る。
【０１２３】
[0132]ＵＥ１４１５は、プロセッサモジュール１４１０、メモリモジュール１４２０、（トランシーバモジュール１４７０によって表される）少なくとも１つのトランシーバモジュール、（アンテナ１４８０によって表される）少なくとも１つのアンテナ、および／またはワイヤレス通信管理モジュール１４４０を含み得る。これらの構成要素の各々は、１つまたは複数のバス１４３５を介して、直接または間接的に互いに通信していることがある。
【０１２４】
[0133]メモリモジュール１４２０は、ランダムアクセスメモリ（ＲＡＭ）および／または読取り専用メモリ（ＲＯＭ）を含み得る。メモリモジュール１４２０は、実行されたとき、無競合ベース無線周波数スペクトル（たとえば、無線周波数スペクトルが特定の使用のために特定のユーザに認可されているので、装置がそれへのアクセスを求めて競合しない無線周波数スペクトル）、および／または競合ベース無線周波数スペクトル（たとえば、無線周波数スペクトルが認可不要の使用に開かれているので、装置がそれへのアクセスを求めて競合する無線周波数スペクトル）を介して通信するための（またはそれらを介した通信を管理するための）本明細書で説明する様々な機能をプロセッサモジュール１４１０に実施させるように構成された命令を含んでいるコンピュータ可読、コンピュータ実行可能ソフトウェア（ＳＷ）コード１４２５を記憶し得る。代替的に、ソフトウェアコード１４２５は、プロセッサモジュール１４１０によって直接実行可能でないことがあるが、（たとえば、コンパイルされ実行されたとき）本明細書で説明する様々な機能をＵＥ１４１５に実施させるように構成され得る。
【０１２５】
[0134]プロセッサモジュール１４１０は、インテリジェントハードウェアデバイス、たとえば、ＣＰＵ、マイクロコントローラ、ＡＳＩＣなどを含み得る。プロセッサモジュール１４１０は、トランシーバモジュール１４７０を通して受信された情報、および／またはアンテナ１４８０を介した送信のためにトランシーバモジュール１４７０に送られるべき情報を処理し得る。プロセッサモジュール１４１０は、単独でまたはワイヤレス通信管理モジュール１４４０とともに、無競合ベース無線周波数スペクトルおよび／または競合ベース無線周波数スペクトルを介して通信する（またはそれらを介した通信を管理する）様々な態様を扱い得る。
【０１２６】
[0135]トランシーバモジュール１４７０は、パケットを変調し、変調されたパケットを送信のためにアンテナ１４８０に与え、アンテナ１４８０から受信されたパケットを復調するように構成されたモデムを含み得る。トランシーバモジュール１４７０は、いくつかの例では、１つまたは複数の送信機モジュールおよび１つまたは複数の別個の受信機モジュールとして実装され得る。トランシーバモジュール１４７０は、無競合ベース無線周波数スペクトルおよび／または競合ベース無線周波数スペクトルにおける通信をサポートし得る。トランシーバモジュール１４７０は、図１、図２、および／または図３を参照しながら説明した基地局１０５、２０５、および／または１７０５のうちの１つまたは複数と、アンテナ１４８０を介して、双方向に通信するように構成され得る。ＵＥ１４１５は単一のアンテナを含み得るが、ＵＥ１４１５が複数のアンテナ１４８０を含み得る例があり得る。
【０１２７】
[0136]ワイヤレス通信管理モジュール１４４０は、無競合ベース無線周波数スペクトルおよび／または競合ベース無線周波数スペクトルを介したワイヤレス通信に関係する図１、図２、図３、図４、図５Ａ、図５Ｂ、図６、図７、図８、図９、図１０、図１１、図１２、および／または図１３を参照しながら説明した特徴および／または機能の一部または全部を実施および／または制御するように構成され得る。たとえば、ワイヤレス通信管理モジュール１４４０は、競合ベース無線周波数スペクトルを使用して補助ダウンリンク動作モード、キャリアアグリゲーション動作モード、および／またはスタンドアロン動作モードをサポートするように構成され得る。ワイヤレス通信管理モジュール１４４０は、無競合ベース無線周波数スペクトルにおいてＬＴＥ／ＬＴＥ−Ａ通信を扱うように構成された認可スペクトルＬＴＥ／ＬＴＥ−Ａモジュール１４４５、競合ベース無線周波数スペクトルにおいてＬＴＥ／ＬＴＥ−Ａ通信を扱うように構成された認可不要スペクトルＬＴＥ／ＬＴＥ−Ａモジュール１４５０、および／または競合ベース無線周波数スペクトルにおいてＬＴＥ／ＬＴＥ−Ａ通信以外の通信を扱うように構成された認可不要モジュール１４５５を含み得る。いくつかの例では、例として、ワイヤレス通信管理モジュール１４４０は、図１０、図１１、図１２、および／または図１３を参照しながら説明したワイヤレス通信管理モジュール１０２０、１１２０、１２２０、および／または１３２０の１つまたは複数の態様の一例であり得る。ワイヤレス通信管理モジュール１４４０またはその一部分はプロセッサを含み得、および／またはワイヤレス通信管理モジュール１４４０の機能の一部もしくは全部は、プロセッサモジュール１４１０によっておよび／またはプロセッサモジュール１４１０とともに実施され得る。
【０１２８】
[0137]図１５は、本開示の様々な態様による、ワイヤレス通信のための方法１５００の一例を示すフローチャートである。明快のために、方法１５００について、図１、図２、図３、および／または図１４を参照しながら説明したＵＥ１１５、２１５、３１５、および／または１４１５のうちの１つまたは複数の態様、ならびに／あるいは図１０、図１１、図１２、および／または図１３を参照しながら説明した装置１０１５、１１１５、１２１５、および／または１３１５のうちの１つまたは複数の態様に関して以下で説明する。いくつかの例では、ＵＥ１１５、２１５、３１５、または１４１５のうちの１つなどのＵＥ、あるいは装置１０１５、１１１５、１２１５、または１３１５のうちの１つなどの装置は、以下で説明する機能を実施するようにＵＥまたは装置の機能的要素を制御するために、コードの１つまたは複数のセットを実行し得る。
【０１２９】
[0138]ブロック１５０５において、方法１５００は、アップリンクサブフレームにおけるリソースの競合を識別することを含み得る。競合は、少なくとも、第１のセルについての第１のアップリンク制御情報を報告することと、第２のセルについての第２のアップリンク制御情報を報告することとの間の競合を含み得る。ブロック１５０５における動作は、図１０、図１１、図１２、図１３、および／または図１４を参照しながら説明したワイヤレス通信管理モジュール１０２０、１１２０、１２２０、１３２０、および／または１４２０、ならびに／あるいは図１１、図１２、および／または図１３を参照しながら説明したリソース競合識別モジュール１１３５、１２３５、および／または１３３５を使用して実施され得る。
【０１３０】
[0139]ブロック１５１０において、方法１５００は、第１のセルと第２のセルとのうちの少なくとも１つが競合ベース無線周波数スペクトルを利用するかどうかに少なくとも部分的に基づいて、アップリンクサブフレームにおけるリソースの競合においてアップリンク制御情報の報告に優先度を付けることを含み得る。ブロック１５１０における動作は、図１０、図１１、図１２、図１３、および／または図１４を参照しながら説明したワイヤレス通信管理モジュール１０２０、１１２０、１２２０、１３２０、および／または１４２０、ならびに／あるいは図１１、図１２、および／または図１３を参照しながら説明した情報優先度付けモジュール１１４５、１２５０、および／または１３５０を使用して実施され得る。
【０１３１】
[0140]ブロック１５１５において、方法１５００は、優先度付けに基づいてアップリンク制御情報を送信することを含み得る。ブロック１５１５における動作は、図１０、図１１、図１２、および／または図１３を参照しながら説明した送信機モジュール１０３０、１１３０、１２３０、および／または１３３０、ならびに／あるいは図１４を参照しながら説明したトランシーバモジュール１４７０を使用して実施され得る。
【０１３２】
[0141]いくつかの例では、本方法１５００は、第２のセルが競合ベース無線周波数スペクトルを利用するセルであると決定することと、第２のセルによる競合ベース無線周波数スペクトルの利用に少なくとも部分的に基づいて、アップリンクサブフレームにおけるリソースの競合において第２のセルについての第２のアップリンク制御情報の報告に優先度を付けることとを含み得る。
【０１３３】
[0142]方法１５００のいくつかの例では、第１のセルと第２のセルは、キャリアアグリゲーションおよび／またはデュアル接続性（たとえば、マルチフロー）通信モードにおいて見つけられ得るように、異なるキャリア周波数であり得る。方法１５００の他の例では、第１のセルと第２のセルは、ＣｏＭＰ通信モードにおいて見つけられ得るように、同じキャリア周波数であり得る。
【０１３４】
[0143]方法１５００のいくつかの例では、第１のアップリンク制御情報および／または第２のアップリンク制御情報は、ＣＳＩ、ＳＲＳ、および／または（たとえば、マルチフロー動作下の）ＳＲ制御情報を含み得る。アップリンク制御情報がＣＳＩを含むとき、ＣＳＩは、たとえば、ＲＩ、ＰＴＩ、広帯域ＰＭＩ、広帯域ＣＱＩ、ＰＭＩをもつ広帯域ＣＱＩ、サブバンドＣＱＩ、またはＰＭＩをもつサブバンドＣＱＩのうちの少なくとも１つを含み得る。いくつかの例では、ブロック１５１０における優先度付けは、アップリンク制御情報の１つまたは複数のタイプ（たとえば、ランクインジケータ（ＲＩ）、プリコーディングタイプインジケータ（ＰＴＩ）、または広帯域プリコーディング行列インジケータ（ＰＭＩ）（たとえば、３、５、６、２ａの報告タイプ）などの最高優先度タイプ）について実施され得る。別の例では、アップリンク制御情報の１つまたは複数のタイプは、ブロック１５１０における優先度付けによってプライオリタイジされ（prioritizied）ないことがあり、アップリンク制御情報の１つまたは複数のタイプの優先度は、アップリンク制御情報の１つまたは複数のタイプを報告している各セルのサービングセルインデックスに少なくとも部分的に基づいて決定され得る（たとえば、より低いサービングセルインデックスはより高い優先度を割り当てられ得る）。
【０１３５】
[0144]いくつかの例では、方法１５００は、第１のセルが、無競合ベース無線周波数スペクトル（たとえば、無線周波数スペクトルが特定の使用のために特定のユーザに認可されているので、装置がそれへのアクセスを求めて競合しない無線周波数スペクトル）を利用するセルであると決定することを含み得る。これらの例では、第１のアップリンク制御情報および第２のアップリンク制御情報がＣＳＩをそれぞれ含むとき、第２のアップリンク制御情報の報告は、第１のセルについてのＣＳＩの第１の報告タイプが、第２のセルについてのＣＳＩの第２の報告タイプに対して同じ優先度レベルまたはより高い優先度レベルを有するにもかかわらず、第２のアップリンク制御情報の報告よりも優先度を付けられ得る。
【０１３６】
[0145]方法１５００のいくつかの例では、第１のセルは、無競合ベース無線周波数スペクトルにおいて動作している第１の複数のセルのうちの１つであり得、および／または第２のセルは、競合ベース無線周波数スペクトルにおいて動作している第２の複数のセルのうちの１つであり得る。これらの例では、方法１５００は、場合によっては、第２のセル（または第２の複数のセル）についてのアップリンク制御情報の報告が、第１のセル（または第１の複数のセル）についてのアップリンク制御情報の報告に勝る優先度を与えられるように、アップリンク制御情報の報告に優先度を付けることを含み得る。他の場合には、方法１５００は、第２のセル（または第２の複数のセルの各セル）を、１）競合ベース無線周波数スペクトルへの競合が成功したセル（たとえば、測定されるべきＲＳを含んでいる有効な測定サブフレームが送信されていることがあり、アップリンク制御情報を生成するための有効な１つまたは複数の測定値が取得されていることがあるセル）、あるいは２）競合ベース無線周波数スペクトルへの競合が失敗したセル（たとえば、測定されるべきＲＳを含んでいる有効な測定サブフレームが送信されていないであろうし、またアップリンク制御情報を生成するための有効な１つまたは複数の測定値が取得されていないであろうセル）として分類することを含み得る。方法１５００のこれらの後者の例では、測定サブフレーム（たとえば、ダウンリンクサブフレーム）を送信するための競合ベース無線周波数スペクトルへの競合が成功した何らかのセルについてのアップリンク制御情報の報告は、第１のセル（または第１の複数のセル）についてのアップリンク制御情報の報告よりも優先度を与えられ得、第１のセル（または第１の複数のセル）についてのアップリンク制御情報の報告は、測定サブフレーム（たとえば、ダウンリンクサブフレーム）を送信するための競合ベース無線周波数スペクトルへの競合が失敗した何らかのセルについてのアップリンク制御情報の報告よりも優先度を与えられ得る。
【０１３７】
[0146]方法１５００のいくつかの例では、セルインデックスがアップリンク制御情報の報告に含められ得る。たとえば、第２のセルを識別する第２のセルインデックスが、第２のアップリンク制御情報の報告に含められ得る。含められたセルインデックスは、アップリンク制御情報がそれに関係するセルを決定するために基地局によって使用され得る。代替的に、基地局は、アップリンク制御情報がそれに関係するセルを決定するためにブラインド検出を使用し得る。一例では、最大ペイロードがセルごとに仮定され得、どのセルが報告されているかを示すためにＣＳＩ報告中にセルインデックスが含められ得るが、これはアップリンクオーバーヘッドを増加させ得る。
【０１３８】
[0147]このようにして、方法１５００はワイヤレス通信を提供し得る。方法１５００は一実装形態にすぎず、方法１５００の動作は、他の実装形態が可能であるように再構成されるかまたは別の方法で修正され得ることに留意されたい。
【０１３９】
[0148]図１６は、本開示の様々な態様による、ワイヤレス通信のための方法１６００の一例を示すフローチャートである。明快のために、方法１６００について、図１、図２、図３、および／または図１４を参照しながら説明したＵＥ１１５、２１５、３１５、および／または１４１５のうちの１つまたは複数の態様、ならびに／あるいは図１０、図１１、図１２、および／または図１３を参照しながら説明した装置１０１５、１１１５、１２１５、および／または１３１５のうちの１つまたは複数の態様に関して以下で説明する。いくつかの例では、ＵＥ１１５、２１５、３１５、または１４１５のうちの１つなどのＵＥ、あるいは装置１０１５、１１１５、１２１５、または１３１５のうちの１つなどの装置は、以下で説明する機能を実施するようにＵＥまたは装置の機能的要素を制御するために、コードの１つまたは複数のセットを実行し得る。
【０１４０】
[0149]ブロック１６０５において、方法１６００は、アップリンクサブフレームにおけるリソースの競合を識別することを含み得る。競合は、少なくとも、第１のセルについての第１のアップリンク制御情報を報告することと、第２のセルについての第２のアップリンク制御情報を報告することとの間の競合を含み得る。第１のアップリンク制御情報および第２のアップリンク制御情報はＣＳＩをそれぞれ含み得る。ブロック１６０５における動作は、図１０、図１１、図１２、図１３、および／または図１４を参照しながら説明したワイヤレス通信管理モジュール１０２０、１１２０、１２２０、１３２０、および／または１４２０、ならびに／あるいは図１１、図１２、および／または図１３を参照しながら説明したリソース競合識別モジュール１１３５、１２３５、および／または１３３５を使用して実施され得る。
【０１４１】
[0150]ブロック１６１０において、方法１６００は、第１のセルが、競合ベース無線周波数スペクトル（たとえば、無線周波数スペクトルが特定の使用に開かれているので、装置がそれへのアクセスを求めて競合する無線周波数スペクトル）を利用するセルであると決定することを含み得る。方法１６００はまた、第２のセルが競合ベース無線周波数スペクトルを利用するセルであると決定することを含み得る。ブロック１６１０における動作は、図１０、図１１、図１２、図１３、および／または図１４を参照しながら説明したワイヤレス通信管理モジュール１０２０、１１２０、１２２０、１３２０、および／または１４２０、ならびに／あるいは図１１、図１２、および／または図１３を参照しながら説明したスペクトル利用決定モジュール１１４０、１２４０、および／または１３４０を使用して実施され得る。
【０１４２】
[0151]ブロック１６１５において、方法１６００は、第１のセルについてのＣＳＩの第１の報告タイプの第１の優先度レベルを決定することを含み得る。
【０１４３】
[0152]ブロック１６２０において、方法１６００は、第２のセルについてのＣＳＩの第２の報告タイプの第２の優先度レベルを決定することを含み得る。
【０１４４】
[0153]いくつかの例では、ブロック１６１５において、第１のセルについてのＣＳＩの第１の報告タイプの第１の優先度レベルを決定することと、ブロック１６２０において、第２のセルについてのＣＳＩの第２の報告タイプの第２の優先度レベルを決定することとは、ＣＳＩの報告タイプがランクインジケータ（ＲＩ）、プリコーディングタイプインジケータ（ＰＴＩ）、または広帯域プリコーディング行列インジケータ（ＰＭＩ）（たとえば、３、５、６、または２ａの報告タイプ）のうちの少なくとも１つを含むときの最高優先度レベルを決定すること、ＣＳＩの報告タイプが広帯域チャネル品質指示（ＣＱＩ）、またはＰＭＩをもつ広帯域ＣＱＩ（たとえば、２、２ｂ、２ｃ、または４の報告タイプ）のうちの少なくとも１つを含むときの中間優先度レベルを決定すること、ならびに／あるいはＣＳＩの報告タイプがサブバンドＣＱＩ、またはＰＭＩをもつサブバンドＣＱＩ（たとえば、１、１ａの報告タイプ）のうちの少なくとも１つを含むときの低優先度レベルを決定することを含み得る。
【０１４５】
[0154]ブロック１６１５および／またはブロック１６２０における動作は、図１０、図１１、図１２、図１３、および／または図１４を参照しながら説明したワイヤレス通信管理モジュール１０２０、１１２０、１２２０、１３２０、および／または１４２０、ならびに／あるいは図１２を参照しながら説明したＣＳＩ報告タイプ決定モジュール１２４５を使用して実施され得る。
【０１４６】
[0155]ブロック１６２５において、方法１６００は、第２のセルについてのＣＳＩの第２の報告タイプの優先度レベルに対して第１のセルについてのＣＳＩの第１の報告タイプの優先度レベルを決定することを含み得る。
【０１４７】
[0156]ブロック１６３０において、ＣＳＩの第１の報告タイプの第１の優先度レベルがＣＳＩの第１の報告タイプの第２の優先度レベルとは異なるとき、方法１６００は、第２のセルによる競合ベース無線周波数スペクトルの利用に少なくとも部分的に基づいて、および第２のセルについてのＣＳＩの第２の報告タイプの第２の優先度レベルに対する第１のセルについてのＣＳＩの第１の報告タイプの第１の優先度レベルに少なくとも部分的に基づいて、アップリンクサブフレームにおけるリソースの競合において第２のセルについての第２のアップリンク制御情報の報告に優先度を付けることを含み得る。いくつかの例では、第１のセルについての第１のアップリンク制御情報の報告と、第２のセルについての第２のアップリンク制御情報の報告とは、無競合ベース無線周波数スペクトルを利用する第３のセルについての第３のアップリンク制御情報の報告よりも優先度を付けられ得る。第１のセルについての第１のアップリンク制御情報と、第２のセルについての第２のアップリンク制御情報との報告は、次いで、第２のセルについてのＣＳＩの第２の報告タイプの第２の優先度レベルに対する第１のセルについてのＣＳＩの第１の報告タイプの第１の優先度レベルに少なくとも部分的に基づいて、互いに対して優先度を付けられ得る。
【０１４８】
[0157]ブロック１６３５において、ＣＳＩの第１の報告タイプの第１の優先度レベルとＣＳＩの第２の報告タイプの第２の優先度レベルが同じ優先度レベルであるとき、方法１６００は、第１のセルの第１のサービングセルインデックスと、第２のセルの第２のサービングセルインデックスとを決定することを含み得る。ブロック１６４０において、方法１６００は、第２のセルによる競合ベース無線周波数スペクトルの利用に少なくとも部分的に基づいて、および第１のサービングセルインデックスと第２のサービングセルインデックスとに少なくとも部分的に基づいて、アップリンクサブフレームにおけるリソースの競合においてアップリンク制御情報の報告に優先度を付けることをさらに含み得る。いくつかの例では、第１のセルについての第１のアップリンク制御情報の報告と、第２のセルについての第２のアップリンク制御情報の報告とは、無競合ベース無線周波数スペクトルを利用する第３のセルについての第３のアップリンク制御情報の報告よりも優先度を付けられ得る。第１のセルについての第１のアップリンク制御情報と、第２のセルについての第２のアップリンク制御情報との報告は、次いで、第１のセルインデックスと第２のセルインデックスとに基づいて互いに対して優先度を付けられ得る。たとえば、第２のセルインデックスが第１のサービングセルインデックスよりも低いとき、第２のセルについての第２のアップリンク制御情報の報告は、第１のセルについての第１のアップリンク制御情報の報告よりも優先度を付けられ得る。第２のセルインデックスが第１のサービングセルインデックスよりも高いとき、第１のセルについての第１のアップリンク制御情報の報告は、第２のセルについての第２のアップリンク制御情報の報告よりも優先度を付けられ得る。
【０１４９】
[0158]ブロック１６３０および／またはブロック１６４０における動作は、図１０、図１１、図１２、図１３、および／または図１４を参照しながら説明したワイヤレス通信管理モジュール１０２０、１１２０、１２２０、１３２０、および／または１４２０、ならびに／あるいは図１１、図１２、および／または図１３を参照しながら説明した情報優先度付けモジュール１１４５、１２５０、および／または１３５０を使用して実施され得る。ブロック１６３５における動作は、図１０、図１１、図１２、図１３、および／または図１４を参照しながら説明したワイヤレス通信管理モジュール１０２０、１１２０、１２２０、１３２０、および／または１４２０、ならびに／あるいは図１２を参照しながら説明したサービングセルインデックス決定モジュール１２５５を使用して実施され得る。
【０１５０】
[0159]方法１６００のいくつかの例では、第１のセルと第２のセルは、キャリアアグリゲーションおよび／またはデュアル接続性（たとえば、マルチフロー）通信モードにおいて見つけられ得るように、異なるキャリア周波数であり得る。方法１６００の他の例では、第１のセルと第２のセルは、ＣｏＭＰ通信モードにおいて見つけられ得るように、同じキャリア周波数であり得る。
【０１５１】
[0160]方法１６００のいくつかの例では、セルインデックスがアップリンク制御情報の報告に含められ得る。たとえば、第２のセルを識別する第２のセルインデックスが、第２のアップリンク制御情報の報告に含められ得る。含められたセルインデックスは、アップリンク制御情報がそれに関係するセルを決定するために基地局によって使用され得る。代替的に、基地局は、アップリンク制御情報がそれに関係するセルを決定するためにブラインド検出を使用し得る。一例では、最大ペイロードがセルごとに仮定され得、どのセルが報告されているかを示すためにＣＳＩ報告中にセルインデックスが含められ得るが、これはアップリンクオーバーヘッドを増加させ得る。
【０１５２】
[0161]このようにして、方法１６００はワイヤレス通信を提供し得る。方法１６００は一実装形態にすぎず、方法１６００の動作は、他の実装形態が可能であるように再構成されるかまたは別の方法で修正され得ることに留意されたい。
【０１５３】
[0162]図１７は、本開示の様々な態様による、ワイヤレス通信のための方法１７００の一例を示すフローチャートである。明快のために、方法１７００について、図１、図２、図３、および／または図１４を参照しながら説明したＵＥ１１５、２１５、３１５、および／または１４１５のうちの１つまたは複数の態様、ならびに／あるいは図１０、図１１、図１２、および／または図１３を参照しながら説明した装置１０１５、１１１５、１２１５、および／または１３１５のうちの１つまたは複数の態様に関して以下で説明する。いくつかの例では、ＵＥ１１５、２１５、３１５、または１４１５のうちの１つなどのＵＥ、あるいは装置１０１５、１１１５、１２１５、または１３１５のうちの１つなどの装置は、以下で説明する機能を実施するようにＵＥまたは装置の機能的要素を制御するために、コードの１つまたは複数のセットを実行し得る。
【０１５４】
[0163]ブロック１７０５において、方法１７００は、アップリンクサブフレームにおけるリソースの競合を識別することを含み得る。競合は、少なくとも、第１のセルについての第１のアップリンク制御情報を報告することと、第２のセルについての第２のアップリンク制御情報を報告することとの間の競合を含み得る。ブロック１７０５における動作は、図１０、図１１、図１２、図１３、および／または図１４を参照しながら説明したワイヤレス通信管理モジュール１０２０、１１２０、１２２０、１３２０、および／または１４２０、ならびに／あるいは図１１、図１２、および／または図１３を参照しながら説明したリソース競合識別モジュール１１３５、１２３５、および／または１３３５を使用して実施され得る。
【０１５５】
[0164]ブロック１７１０において、方法１７００は、第２のセルが、競合ベース無線周波数スペクトル（たとえば、無線周波数スペクトルが特定の使用に開かれているので、装置がそれへのアクセスを求めて競合する無線周波数スペクトル）を利用するセルであると決定することを含み得る。ブロック１７１０における動作は、図１０、図１１、図１２、図１３、および／または図１４を参照しながら説明したワイヤレス通信管理モジュール１０２０、１１２０、１２２０、１３２０、および／または１４２０、ならびに／あるいは図１１、図１２、および／または図１３を参照しながら説明したスペクトル利用決定モジュール１１４０、１２４０、および／または１３４０を使用して実施され得る。
【０１５６】
[0165]ブロック１７１５において、方法１７００は、第２のセルのダウンリンクサブフレームを識別することを含み得る。ダウンリンクサブフレームは、第２のアップリンク制御情報を生成するために測定値がその中で取得され得るサブフレームであり得る。
【０１５７】
[0166]ブロック１７２０において、方法１７００は、ダウンリンクサブフレームを送信するための競合ベース無線周波数スペクトルを求める競合が成功したか失敗したかを決定することを含み得る。ブロック１７２０における決定は、場合によっては、基地局から受信されたシグナリングに基づいて行われ得、このシグナリングは、第２のセルによってダウンリンクサブフレームを送信するための競合ベース無線周波数スペクトルを求める競合の成功または失敗を示す。ブロック１７２０における決定は、他の場合には、第２のセルによって送信される基準信号（たとえば、図５Ａを参照しながら説明したＣＵＢＳ５４５ならびに／あるいは１つまたは複数の他のシグナリング）の存在に基づいて行われ得、この基準信号は、第２のセルによってダウンリンクサブフレームを送信するための競合ベース無線周波数スペクトルを求める競合の成功または失敗を示す。たとえば、基準信号が存在すると検出されたとき、ダウンリンクサブフレームを送信するための競合ベース無線周波数スペクトルを求める競合は成功したと決定され得る。対照的に、基準信号が存在すると検出されないとき、ダウンリンクサブフレームを送信するための競合ベース無線周波数スペクトルを求める競合は失敗したと決定され得る。基地局のシグナリングおよび／または基準信号送信は、アップリンク制御情報の報告がどのセルに対応するのかに関して、基地局と、方法１７００を実施しているＵＥまたは装置とを整合させるのを助ける。整合はまた、アップリンク制御情報がそれに対応するセルについての基地局によるブラインド検出に基づき、および／または基地局による競合成功ステータス情報のシグナリングに基づき得る。
【０１５８】
[0167]ブロック１７２０における動作は、図１０、図１１、図１２、図１３、および／または図１４を参照しながら説明したワイヤレス通信管理モジュール１０２０、１１２０、１２２０、１３２０、および／または１４２０、ならびに／あるいは図１３を参照しながら説明した競合成功決定モジュール１３４５を使用して実施され得る。
【０１５９】
[0168]アップリンク制御情報（たとえば、ＣＳＩフィードバックインスタンス）の報告が、有効な測定サブフレーム（たとえば、ブロック１７１５において識別されるダウンリンクサブフレーム）の下にあるかどうかを決定することによって、アップリンク制御情報の報告に優先度を付けるためのより高度なルールが開発され得る。たとえば、ブロック１７２０において、ダウンリンクサブフレームを送信するための競合ベース無線周波数スペクトルを求める競合が成功した（したがって、測定されるべきＲＳを含んでいる有効な測定サブフレームが送信されていることがあり、アップリンク制御情報を生成するための有効な１つまたは複数の測定値が取得されていることがある）と決定されたとき、方法１７００はブロック１７２５に進み得る。ブロック１７２５において、方法１７００は、第２のセルによる競合ベース無線周波数スペクトルの利用に少なくとも部分的に基づいて、アップリンクサブフレームにおけるリソースの競合において第２のセルについての第２のアップリンク制御情報の報告に優先度を付けることを含み得、ここで、第２のセルによる競合ベース無線周波数スペクトルの利用は、第２のセルによる競合ベース無線周波数スペクトルを求める競合の成功を含む。たとえば、第１のセルが、無競合ベース無線周波数スペクトルを利用するセルであるとき、第２のセルについての第２のアップリンク制御情報の報告は、第１のセルについての第１のアップリンク制御情報の報告よりも高い優先度を与えられ得る。第１のセルが、競合ベース無線周波数スペクトルを利用するセルであるとき、第２のセルについての第２のアップリンク制御情報の報告は、競合ベース無線周波数スペクトルを求めて競合しダウンリンクサブフレームを送信するための第１のセルの成功もしくは失敗に基づいて（および／または第２のセルについてのＣＳＩの第２の報告タイプの第２の優先度レベルに対する第１のセルについてのＣＳＩの第１の報告タイプの第１の優先度レベルに基づいて、および／または第１のセルの第１のサービングセルと第２のセルの第２のサービングセルインデックスとの比較に基づいて）、無競合ベース無線周波数スペクトルを利用する第３のセルについての第３のアップリンク制御情報の報告よりも高い優先度を与えられ得、第１のセルについての第１のアップリンク制御情報の報告に関して優先度を与えられ得る。
【０１６０】
[0169]ブロック１７２０において、ダウンリンクサブフレームを送信するための競合ベース無線周波数スペクトルを求める競合が失敗した（したがって、測定されるべきＲＳを含んでいる有効な測定サブフレームが送信されていないであろうし、またアップリンク制御情報を生成するための有効な１つまたは複数の測定値が取得されていないであろう）と決定されたとき、方法１７００はブロック１７３０に進み得る。ブロック１７３０において、方法１７００は、第２のセルによる競合ベース無線周波数スペクトルの利用に少なくとも部分的に基づいて、アップリンクサブフレームにおけるリソースの競合において第２のセルについての第２のアップリンク制御情報の報告に優先度を付けることを含み得、ここで、第２のセルによる競合ベース無線周波数スペクトルの利用は、第２のセルによる競合ベース無線周波数スペクトルを求める競合の失敗を含む。場合によっては、優先度付けは、無競合ベース無線周波数スペクトルを利用する１つまたは複数のセルについてのアップリンク制御情報の報告よりも、第２のセル優先度についての第２のアップリンク制御情報の報告を与えることを含み得る。他の場合には、優先度付けは、第２のセルについての第２のアップリンク制御情報の報告の優先度を低下させることを含み得る。第２のセルについての第２のアップリンク制御情報の報告の優先度は、第２のセルについての第２のアップリンク制御情報を報告する優先度が、無競合ベーススペクトルを利用する１つまたは複数のセルについてのアップリンク制御情報を報告する優先度よりも低くなり、および／または競合ベーススペクトルを利用し第２のセルよりも高いサービングセルインデックスを有する１つまたは複数のセルについてのアップリンク制御情報を報告する優先度よりも低くなるように、場合によっては低下され得る。他の場合には、第２のセルについての第２のアップリンク制御情報は報告されないことがあり、第２のセルについての第２のアップリンク制御情報の報告は、他のアップリンク制御情報を報告する優先度付けから省略され得る。他の場合には、方法１７００は、第２のセルについての履歴的第２のアップリンク制御情報にアクセスすることを含み得る。第２のセルについての履歴的第２のアップリンク制御情報は、前のダウンリンクサブフレーム（たとえば、前の有効なダウンリンクサブフレーム）の受信中に取得された測定値に基づき得る。これらの場合、ブロック１７３０において行われる優先度付けは、ブロック１７２５において行われる優先度付けと同様であり得、第２のセルについての第２のアップリンク制御情報の優先度付けは、第２のセルについての履歴的第２のアップリンク制御情報の優先度付けを含む。代替的に、第２のセルについての履歴的第２のアップリンク制御情報の報告は、第１のセルについてのアップリンク制御情報の報告よりも低い優先度を与えられ得る。
【０１６１】
[0170]ブロック１７２５および／または１７３０における動作は、図１０、図１１、図１２、図１３、および／または図１４を参照しながら説明したワイヤレス通信管理モジュール１０２０、１１２０、１２２０、１３２０、および／または１４２０、ならびに／あるいは図１１、図１２、および／または図１３を参照しながら説明した情報優先度付けモジュール１１４５、１２５０、および／または１３５０を使用して実施され得る。履歴的第２のアップリンク制御情報にアクセスすることは、図１０、図１１、図１２、図１３、および／または図１４を参照しながら説明したワイヤレス通信管理モジュール１０２０、１１２０、１２２０、１３２０、および／または１４２０、ならびに／あるいは図１３を参照しながら説明した履歴的アップリンク制御情報モジュール１３５５を使用して実施され得る。
【０１６２】
[0171]方法１７００のいくつかの例では、第１のセルと第２のセルは、キャリアアグリゲーションおよび／またはデュアル接続性（たとえば、マルチフロー）通信モードにおいて見つけられ得るように、異なるキャリア周波数であり得る。方法１７００の他の例では、第１のセルと第２のセルは、ＣｏＭＰ通信モードにおいて見つけられ得るように、同じキャリア周波数であり得る。
【０１６３】
[0172]方法１７００のいくつかの例では、第１のアップリンク制御情報および／または第２のアップリンク制御情報は、ＣＳＩ、ＳＲＳ、および／または（たとえば、マルチフロー動作下の）ＳＲ制御情報を含み得る。アップリンク制御情報がＣＳＩを含むとき、ＣＳＩは、たとえば、ＲＩ、ＰＴＩ、広帯域ＰＭＩ、広帯域ＣＱＩ、ＰＭＩをもつ広帯域ＣＱＩ、サブバンドＣＱＩ、またはＰＭＩをもつサブバンドＣＱＩのうちの少なくとも１つを含み得る。いくつかの例では、ブロック１７２５および／または１７３０における優先度付けは、アップリンク制御情報の１つまたは複数のタイプ（たとえば、ランクインジケータ（ＲＩ）、プリコーディングタイプインジケータ（ＰＴＩ）、または広帯域プリコーディング行列インジケータ（ＰＭＩ）（たとえば、３、５、６、２ａの報告タイプ）などの最高優先度タイプ）について実施され得る。別の例では、アップリンク制御情報の１つまたは複数のタイプは、ブロック１７２５および／または１７３０における優先度付けによってプライオリタイジされ（prioritizied）ないことがあり、アップリンク制御情報の１つまたは複数のタイプの優先度は、アップリンク制御情報の１つまたは複数のタイプを報告している各セルのサービングセルインデックスに少なくとも部分的に基づいて決定され得る（たとえば、より低いサービングセルインデックスはより高い優先度を割り当てられ得る）。
【０１６４】
[0173]方法１７００のいくつかの例では、セルインデックスがアップリンク制御情報の報告に含められ得る。たとえば、第２のセルを識別する第２のセルインデックスが、第２のアップリンク制御情報の報告に含められ得る。含められたセルインデックスは、アップリンク制御情報がそれに関係するセルを決定するために基地局によって使用され得る。たとえば、セルインデックスは、方法１７００を実施しているＵＥと基地局とが整合されたとき、アップリンク制御情報がそれに関係するセルを決定するために基地局によって使用され得る。ＵＥと基地局との整合は、競合ベース無線周波数スペクトルを使用しているセルが、競合ベース無線周波数スペクトルのアクセスを求めて競合することに成功するかどうかを決定するときに重要であり得る。競合ベース無線周波数スペクトルを使用しているセルが競合ベース無線周波数スペクトルのアクセスを求めて競合することに成功するかどうかの決定は、シグナリングおよび／または基準シグナリング（ＣＵＢＳ５４５および／またはＣＣＡ免除送信（ＣＥＴ）シグナリング）に少なくとも部分的に基づき得る。ＵＥと基地局とが整合されたとき、シグナリングおよび／または基準シグナリングを検出する確率は信頼できる（たとえば、確率しきい値を上回る）ことがある。しかしながら、ＵＥと基地局とが整合されないとき、シグナリングおよび／または基準シグナリングを検出する確率は信頼できない（たとえば、確率しきい値を下回る）ことがある。ＵＥと基地局とが整合されないとき、基地局は、アップリンク制御情報がそれに関係するセルを決定するためにブラインド検出を使用し得る。一例では、最大ペイロードがセルごとに仮定され得、どのセルが報告されているかを示すためにＣＳＩ報告中にセルインデックスが含められ得るが、これはアップリンクオーバーヘッドを増加させ得る。
【０１６５】
[0174]このようにして、方法１７００はワイヤレス通信を提供し得る。方法１７００は一実装形態にすぎず、方法１７００の動作は、他の実装形態が可能であるように再構成されるかまたは別の方法で修正され得ることに留意されたい。
【０１６６】
[0175]いくつかの例では、方法１５００、１６００、および／または１７００の１つまたは複数の態様は組み合わせられ得る。
【０１６７】
[0176]添付の図面に関して上記に記載した発明を実施するための形態は、例について説明しており、実装され得るまたは特許請求の範囲内に入る例のみを表すものではない。「例」および「例示的」という用語は、本明細書で使用されるとき、「例、事例、または例示として働く」ことを意味し、「好ましい」または「他の例よりも有利である」ことを意味するものではない。発明を実施するための形態は、説明した技法の理解を与える目的で具体的な詳細を含む。しかしながら、これらの技法は、これらの具体的な詳細なしに実践され得る。いくつかの事例では、説明した例の概念を不明瞭にすることを避けるために、よく知られている構造および装置はブロック図の形態で示されている。
【０１６８】
[0177]情報および信号は、様々な異なる技術および技法のいずれかを使用して表され得る。たとえば、上記の説明全体を通じて言及され得るデータ、命令、コマンド、情報、信号、ビット、シンボル、およびチップは、電圧、電流、電磁波、磁場または磁性粒子、光場または光学粒子、あるいはそれらの任意の組合せによって表され得る。
【０１６９】
[0178]本明細書の開示に関連して説明した様々な例示的なブロックおよびモジュールは、汎用プロセッサ、デジタル信号プロセッサ（ＤＳＰ）、ＡＳＩＣ、ＦＰＧＡまたは他のプログラマブル論理デバイス、個別ゲートまたはトランジスタロジック、個別ハードウェア構成要素、あるいは本明細書で説明した機能を実施するように設計されたそれらの任意の組合せを用いて実装または実施され得る。汎用プロセッサはマイクロプロセッサであり得るが、代替として、プロセッサは任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【０１７０】
[0179]本明細書において説明した機能は、ハードウェア、プロセッサによって実行されるソフトウェア、ファームウェア、またはそれらの任意の組合せで実装され得る。プロセッサによって実行されるソフトウェアで実装された場合、機能は、非一時的コンピュータ可読媒体上に記憶されるか、あるいは非一時的コンピュータ可読媒体上で１つまたは複数の命令またはコードとして送信され得る。他の例および実装形態は、本開示および添付の特許請求の範囲の範囲および趣旨内にある。たとえば、ソフトウェアの性質により、上記で説明した機能は、プロセッサによって実行されるソフトウェア、ハードウェア、ファームウェア、ハードワイヤリング、またはこれらのいずれかの組合せを使用して実装され得る。機能を実装する特徴はまた、機能の一部が異なる物理的場所において実装されるように分散されることを含めて、様々な位置に物理的に配置され得る。また、特許請求の範囲を含めて、本明細書で使用されるとき、「のうちの少なくとも１つ」で終わる項目の列挙中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１７１】
[0180]コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読記憶媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または格納するために使用され得、汎用もしくは専用コンピュータまたは汎用もしくは専用プロセッサによってアクセスされ得る任意の他の媒体を備えることができる。また、いかなる接続もコンピュータ可読媒体と適切に呼ばれる。たとえば、同軸ケーブル、光ファイバーケーブル、ツイストペア、デジタル加入者線（ＤＳＬ）、または赤外線、無線、およびマイクロ波などのワイヤレス技術を使用して、ソフトウェアがウェブサイト、サーバ、または他の遠隔ソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１７２】
[0181]本開示の前の説明は、当業者が本開示を作製または使用することを可能にするために提供される。本開示への様々な変更は当業者には容易に明らかになり、本明細書において定義された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または要求しない。したがって、本開示は、本明細書で説明した例および設計に限定されるべきでなく、本明細書で開示した原理および新規の特徴に合致する最も広い範囲を与えられるべきである。
【図１】
2017502616.tif 000007
【図２】
2017502616.tif 000008
【図３】
2017502616.tif 000009
【図４】
2017502616.tif 000010
【図５Ａ】
2017502616.tif 000011
【図５Ｂ】
2017502616.tif 000012
【図６】
2017502616.tif 000013
【図７】
2017502616.tif 000014
【図８】
2017502616.tif 000015
【図９】
2017502616.tif 000016
【図１０】
2017502616.tif 000017
【図１１】
2017502616.tif 000018
【図１２】
2017502616.tif 000019
【図１３】
2017502616.tif 000020
【図１４】
2017502616.tif 000021
【図１５】
2017502616.tif 000022
【図１６】
2017502616.tif 000023
【図１７】
2017502616.tif 000024
【国際調査報告】
2017502616.tif 000025
2017502616.tif 000026
2017502616.tif 000027